(57)【要約】  端末機の通信方法は、基地局から半永続スケジューリング(ｓｅｍｉ-ｐｅｒｓｉｓｔｅｎｔ ｓｃｈｅｄｕｌｉｎｇ；ＳＲＳ)設定に関する情報を含むメッセージを受信する段階と；非適応的再送信で設定されたサブフレームがＳＰＳ設定によりアップリンク承認(ｇｒａｎｔ)で設定されたサブフレームと同一であるかを判断する段階と；及び非適応的再送信で設定されたサブフレームがＳＰＳ設定によりアップリンク承認で設定されたサブフレームと同一であり；端末機がＳＰＳ設定によりアップリンク承認で設定されたサブフレームを通じて最初に送信されるデータを有しない時、非適応的再送信を行う段階と、を含む。
2018530242.tif 000002
【特許請求の範囲】
【請求項１】
端末機の通信方法であって、
基地局から半永続スケジューリング(ＳＲＳ)設定に関する情報を含むメッセージを受信する段階と；
非適応的再送信で設定されたサブフレームが前記ＳＰＳ設定によりアップリンク承認で設定されたサブフレームと同一であるかを判断する段階と；及び
非適応的再送信で設定されたサブフレームが前記ＳＰＳ設定によりアップリンク承認で設定されたサブフレームと同一であり；前記端末機が前記ＳＰＳ設定によりアップリンク承認で設定された前記サブフレームを通じて最初に送信されるデータを有しない時、前記非適応的再送信を行う段階と、を含む、端末機の通信方法。
【請求項２】
非適応的再送信で設定されたサブフレームが前記ＳＰＳ設定によりアップリンク承認で設定されたサブフレームと同一であり、前記端末機が前記ＳＰＳ設定によりアップリンク承認で設定された前記サブフレームを通じて最初に送信されるデータを有する時、第１送信を行う段階をさらに含む、請求項１に記載の端末機の通信方法。
【請求項３】
前記メッセージは、ＲＲＣ(ｒａｄｉｏ ｒｅｓｏｕｒｃｅ ｃｏｎｔｒｏｌ)メッセージを含む、請求項１に記載の端末機の通信方法。
【請求項４】
前記メッセージは、前記ＳＰＳ設定によりアップリンク承認で設定され、送信されるデータを有するサブフレームを通じて前記アップリンク送信を行うように指示する情報を含む、請求項１に記載の端末機の通信方法。
【請求項５】
端末機であって、
信号の送受信を行う送受信機；及び
基地局からＳＲＳ(ｓｅｍｉ-ｐｅｒｓｉｓｔｅｎｔ ｓｃｈｅｄｕｌｉｎｇ)設定に関する情報を含むメッセージを受信し；非適応的再送信で設定されたサブフレームが前記ＳＰＳ設定によりアップリンク承認で設定されたサブフレームと同一であるかを判断し；非適応的再送信で設定されたサブフレームが前記ＳＰＳ設定によりアップリンク承認で設定されたサブフレームと同一であり；前記端末機が前記ＳＰＳ設定によりアップリンク承認で設定された前記サブフレームを通じて最初に送信されるデータを有しない時、前記非適応的再送信を行う制御機を含む、端末機。
【請求項６】
前記制御機は、非適応的再送信で設定されたサブフレームが前記ＳＰＳ設定によりアップリンク承認で設定されたサブフレームと同一であり、前記端末機が前記ＳＰＳ設定によりアップリンク承認で設定された前記サブフレームを通じて最初に送信されるデータを有する時、第１送信を行う、請求項５に記載の端末機。
【請求項７】
前記メッセージは、ＲＲＣ(ｒａｄｉｏ ｒｅｓｏｕｒｃｅ ｃｏｎｔｒｏｌ)メッセージを含む請求項５に記載の端末機。
【請求項８】
前記メッセージは、前記ＳＰＳ設定によりアップリンク承認で設定され、送信されるデータを有するサブフレームを通じて前記アップリンク送信を行うように指示する情報を含む、請求項５に記載の端末機。
【請求項９】
基地局の通信方法であって、
半永続スケジューリング(ＳＲＳ)設定に関する情報を含むメッセージを端末機へ送信する段階と、及び
非適応的再送信で設定されたサブフレームが前記ＳＰＳ設定によりアップリンク承認で設定されたサブフレームと同一であり；前記端末機が前記ＳＰＳ設定によりアップリンク承認で設定されたサブフレームを通じて最初に送信されるデータを有しない時、前記端末機から非適応的再送信データを受信する段階を含む、基地局の通信方法。
【請求項１０】
非適応的再送信で設定されたサブフレームが前記ＳＰＳ設定によりアップリンク承認で設定されたサブフレームと同一であり、前記端末機が前記ＳＰＳ設定によりアップリンク承認で設定された前記サブフレームを通じて最初に送信されるデータを有する時、前記端末機から第１送信データを受信する段階をさらに含む、請求項９に記載の基地局の通信方法。
【請求項１１】
前記メッセージは、ＲＲＣ(ｒａｄｉｏ ｒｅｓｏｕｒｃｅ ｃｏｎｔｒｏｌ)メッセージを含む、請求項９に記載の基地局の通信方法。
【請求項１２】
前記メッセージは、前記ＳＰＳ設定によりアップリンク承認で設定され、送信されるデータを有するサブフレームを通じて前記アップリンク送信を行うように指示する情報を含む、請求項９に記載の基地局の通信方法。
【請求項１３】
基地局であって、
信号の送受信を行う送受信機；及び
半永続スケジューリング(ＳＲＳ)設定に関する情報を含むメッセージを端末機に送信し；非適応的再送信で設定されたサブフレームが前記ＳＰＳ設定によりアップリンク承認で設定されたサブフレームと同一であり；前記端末機が前記ＳＰＳ設定によりアップリンク承認で設定された前記サブフレームを通じて最初に送信されるデータを有しない時、前記端末機から非適応的再送信データを受信する制御機を含む、基地局。
【請求項１４】
前記メッセージは、ＲＲＣ(ｒａｄｉｏ ｒｅｓｏｕｒｃｅ ｃｏｎｔｒｏｌ)メッセージを含む、請求項１３に記載の基地局。
【請求項１５】
前記メッセージは、前記ＳＰＳ設定によりアップリンク承認で設定され、送信されるデータを有するサブフレームを通じて前記アップリンク送信を行うように指示する情報を含む、請求項１３に記載の基地局。
【発明の詳細な説明】
【技術分野】
【０００１】
本発明は、端末機及び端末機の通信方法に関する。
【背景技術】
【０００２】
移動通信システムは、移動する間のユーザに通信サービスを提供するために開発された。技術の急速な発展に応じて、音声通信だけではなく高速でデータ通信サービスを提供する移動通信システムが開発された。
【０００３】
近年、次世代移動通信システムの一つとして開発されたＬＴＥ(Ｌｏｎｇ Ｔｅｒｍ Ｅｖｏｌｕｔｉｏｎ)システムが３ＧＰＰ(３ｒｄ Ｇｅｎｅｒａｔｉｏｎ Ｐａｒｔｎｅｒｓｈｉｐ Ｐｒｏｊｅｃｔ)によって標準化されている。ＬＴＥシステムは、２０１０年頃商用化のために現在用いられているデータ送信速度より最大１００Ｍｂｐｓ高い送信速度で高速パケット基盤通信を具現する技術を指称する。ＬＴＥシステムの標準化はほとんど完了した。
【発明の概要】
【発明が解決しようとする課題】
【０００４】
本発明は上述した問題点及び欠点を解決し、後述する少なくとも利点を提供するためになることである。
【０００５】
本発明は、ＵＥがリソースが割り当てられるが送信されるデータを有するので送信を実行しない方式でＵＥが動作するようにすることによって事前割り当てを効率的に用いる方法を提供する。
【０００６】
本発明は、ＭＤＴ測定の間にＩＤＣ干渉によって汚染したＭＤＴ測定情報を処理する方法を提供する。
【０００７】
本発明は、無線通信システムにおいて二重接続性を提供する方法及び装置を提供する。
【０００８】
本発明は、無線通信システムにおいて相違するＲＡＴ(ｒａｄｉｏ ａｃｃｅｓｓ ｔｅｃｈｎｏｌｏｇｙ)を用いて二重接続性を提供する方法及び装置を提供する。
【課題を解決するための手段】
【０００９】
本発明の様態によれば、端末機の通信方法が提供される。通信方法は、基地局から半永続スケジューリング(ｓｅｍｉ-ｐｅｒｓｉｓｔｅｎｔ ｓｃｈｅｄｕｌｉｎｇ；ＳＲＳ)設定に関する情報を含むメッセージを受信する段階と；非適応的再送信で設定されたサブフレームがＳＰＳ設定によりアップリンク承認(ｇｒａｎｔ)で設定されたサブフレームと同一であるかを判断する段階と；及び非適応的再送信で設定されたサブフレームがＳＰＳ設定によりアップリンク承認で設定されたサブフレームと同一であり；端末機がＳＰＳ設定によりアップリンク承認で設定されたサブフレームを通じて最初に送信されるデータを有しない時、非適応的再送信を行う段階と、を含む。
【００１０】
好ましくは、非適応的再送信で設定されたサブフレームがＳＰＳ設定によりアップリンク承認で設定されたサブフレームと同一であり、端末機がＳＰＳ設定によりアップリンク承認で設定されたサブフレームを通じて最初に送信されるデータを有する時、方法は第１送信を行う段階をさらに含む。
【００１１】
好ましくは、メッセージはＲＲＣ(ｒａｄｉｏ ｒｅｓｏｕｒｃｅ ｃｏｎｔｒｏｌ)メッセージを含む。
【００１２】
好ましくは、メッセージはＳＰＳ設定によりアップリンク承認で設定され、送信されるデータを有するサブフレームを通じてアップリンク送信を行うように指示する情報を含む。
【００１３】
本発明の他の様態によれば、端末機が提供される。端末機は、信号の送受信を行う送受信機；及び制御機を含む。制御機は基地局からＳＲＳ(ｓｅｍｉ-ｐｅｒｓｉｓｔｅｎｔ ｓｃｈｅｄｕｌｉｎｇ)設定に関する情報を含むメッセージを受信する。制御機は、非適応的再送信で設定されたサブフレームがＳＰＳ設定によりアップリンク承認で設定されたサブフレームと同一であるかを判断する。制御機は、非適応的再送信で設定されたサブフレームがＳＰＳ設定によりアップリンク承認で設定されたサブフレームと同一であり；端末機がＳＰＳ設定によりアップリンク承認で設定されたサブフレームを通じて最初に送信されるデータを有しない時、非適応的再送信を行う。
【００１４】
本発明の他の様態によれば、基地局の通信方法が提供される。方法は、半永続スケジューリング(ＳＲＳ)設定に関する情報を含むメッセージを端末機へ送信する段階と；及び非適応的再送信で設定されたサブフレームがＳＰＳ設定によりアップリンク承認で設定されたサブフレームと同一であり；端末機がＳＰＳ設定によりアップリンク承認で設定されたサブフレームを通じて最初に送信されるデータを有しない時、端末機から非適応的再送信データを受信する段階を含む。
【００１５】
好ましくは、非適応的再送信で設定されたサブフレームがＳＰＳ設定によりアップリンク承認で設定されたサブフレームと同一であり、端末機がＳＰＳ設定によりアップリンク承認で設定されたサブフレームを通じて最初に送信されるデータを有する時、方法は端末機から第１送信データを受信する段階をさらに含む。
【００１６】
本発明の他の様態によれば、基地局が提供される。基地局は信号の送受信を行う送受信機；及び制御機を含む。制御機は半永続スケジューリング(ＳＲＳ)設定に関する情報を含むメッセージを端末機へ送信する。制御機は、非適応的再送信で設定されたサブフレームがＳＰＳ設定によりアップリンク承認で設定されたサブフレームと同一であり；端末機がＳＰＳ設定によりアップリンク承認で設定されたサブフレームを通じて最初に送信されるデータを有しない時、端末機から非適応的再送信データを受信する。
【００１７】
上述した要約はただ本発明のいくつかの様態を提供するためのものであり、請求された発明の範囲を制限しようとするものではない。本発明の特徴及び利点は上述した説明で限定されず、上述しない他の特徴及び利点は次の説明からより明らかになるだろう。
【発明の効果】
【００１８】
本発明の実施形態によれば、方法はＵＥがリソースが割り当てられるが送信されるデータを有するので送信を実行しない方式でＵＥが動作するようにすることによって事前割り当てを効率的に用いる。
【００１９】
本発明の実施形態によれば、方法はＭＤＴ測定の間にＩＤＣ干渉によって汚染したＭＤＴ測定情報を処理する。
【００２０】
本発明の実施形態によれば、無線通信システムがＬＷＡ(ＬＴＥ-ＷＬＡＮ ａｇｇｒｅｇａｔｉｏｎ)技術を用いる時、ＵＥがＬＴＥ ｅＮＢ間にハンドオーバーを行うが、ＷＬＡＮに対する認証／再認証／接続／再接続手続きは省略されることができ、これは遅延を減らすことができる。端末機が相違するＷＬＡＮ ＡＰ又は同じのＷＬＡＮ ＡＰに対する接続又は再接続を行う時、ＵＥがハンドオーバーされるＬＴＥ ｅＮＢの暗号化鍵に基づいてＵＥが認証を行うことによって通信の信頼性を増加させる。
【図面の簡単な説明】
【００２１】
本発明の上述した及び他の様相、特徴及び利点は添付の図面に関連して取られたの詳細な説明からより明らかになるだろう。
【図１】本発明の実施形態によるＬＴＥシステムの設定図面である。
【図２】本発明の実施形態によるＬＴＥシステムにおける無線プロトコルスタック(ｓｔａｃｋ)のダイヤグラムである。
【図３】本発明の実施形態によるアップリンク送信を説明するフローチャートである。
【図４】本発明の実施形態によるＵＥの動作を説明するフローチャートである。
【図５】ＭＤＴ(Ｍｉｎｉｍｉｚａｔｉｏｎ ｏｆ Ｄｒｉｖｅ Ｔｅｓｔ)の概念を示すダイヤグラムである。
【図６】ＵＥがアイドルモードでＭＤＴ測定情報を記録して報告動作でＭＤＴ測定を行う方法を説明するフローチャートである。
【図７】ｅＮＢのリクエストに従ってＵＥが記録されたチャンネル測定情報をｅＮＢに報告する方法を説明するフローチャートである。
【図８】ＩＤＣ(ｉｎ-ｄｅｖｉｃｅ ｃｏｅｘｉｓｔｅｎｃｅ)を説明するダイヤグラムである。
【図９】現在の３ＧＰＰが移動通信に用いる周波数帯域のうちのＩＳＭ帯域に隣接した周波数帯域を示すダイヤグラムである。
【図１０】ＵＥがＬＴＥ標準でＩＤＣ干渉を最小化することができるＤＲＸ設定情報をｅＮＢに提供する方法を説明するフローチャートである。
【図１１】本発明の実施形態によるオプション１に基づいてＭＤＣ測定情報がＩＤＣ干渉によって除去されるかに関する条件に対する情報を設定する方法を説明するダイヤグラムである。
【図１２】本発明の実施形態によるオプション１に基づいてＭＤＣ測定情報がＩＤＣ干渉によって除去されるかに関する条件に対する情報を設定する他の方法を説明するダイヤグラムだ。
【図１３】本発明の実施形態による無線通信システムのネットワーク設定を示すダイヤグラムである。
【図１４】ＬＴＥ−ＷＬＡＮ統合技術を用いる時、ＬＴＥ ｅＮＢ支援型(ａｓｓｉｓｔｅｄ)ＷＬＡＮ認証方式に基づいてＵＥとｅＮＢ間のメッセージ流れを説明するフローチャートである。
【図１５】ＵＥがＬＴＥ ｅＮＢ支援型ＷＬＡＮ認証方式及びＬＴＥ-ＷＬＡＮ統合技術を用いてＬＴＥ ｅＮＢハンドオーバーを行う時、ＵＥとｅＮＢ間のメッセージ流れを説明するフローチャートである。
【図１６】本発明の実施形態による暗号化されたパケットの一例を示すダイヤグラムである。
【図１７】本発明の実施形態による暗号化されたパッケージの他の例を示すダイヤグラムである。
【図１８】本発明の実施形態によるＵＥの設定を示すブロック図面である。
【図１９】本発明の実施形態によるｅＮＢを示すブロック図面である。
【図２０】本発明の実施形態によるＵＥを示すブロック図面である。
【図２１】本発明の実施形態によるｅＮＢを示すブロック図面である。
【発明を実施するための形態】
【００２２】
以下、本発明の実施形態は添付の図面を参照して詳しく説明される。同一の図面番号は図面全体にかけて同一又は類似の部分を示すために用いられる。本明細書に含まれたよく知られた機能及び構造に対する詳細な説明は本発明の主題(ｓｕｂｊｅｃｔ ｍａｔｔｅｒ)を不明瞭にすることを避けるために省略することができる。
【００２３】
次の開示(ｄｉｓｃｌｏｓｕｒｅ)が３ＧＰＰの仕様で定義されたＬＴＥ(Ｌｏｎｇ Ｔｅｒｍ Ｅｖｏｌｕｔｉｏｎ)に基づいた本発明の実施形態を説明するが、本発明の主題は、本発明と類似の技術的背景を持つ他の通信システムにも適用することができる。また、本発明の範囲を逸脱せず実施形態を修正することができ、このような修正が他の通信システムにも適用されることができるということが当業者に理解されるだろう。
【００２４】
次の説明で、構成要素が任意の他の構成要素に‘接続された(ｃｏｎｎｅｃｔｅｄ)’又は‘アクセスされた(ａｃｃｅｓｓｅｄ)’ことで言及される時、構成要素は他の構成要素に直接接続されたりアクセスされることができ、又は構成要素はこのような２つの構成要素間の新しい構成要素を通じて他の構成要素に電気的に接続されるとかアクセスされることができる。表現‘有する(ｈａｖｅ)’、‘含む(ｉｎｃｌｕｄｅ)’、‘構成する(ｃｏｍｐｒｉｓｅ)’、‘設定する(ｃｏｎｆｉｇｕｒｅ)’などは対応する特徴(機能、動作、構成要素、要素(ｅｌｅｍｅｎｔ)など)の存在を示し、一つ以上の付加的な特徴を排除しない。したがって、付加的な特徴はさらに本発明の範囲に含まれることができる。
【００２５】
本発明の実施形態に含まれたブロック又は部は相違する特定機能を説明するために独立的に示され、ブロック又は部のそれぞれは別個のハードウェアデバイス又は一つのソフトウェアモジュール部を示さないこともある。すなわち、個個のブロック又は部は説明の便宜のために配置されて含まれる。ブロック又は部のうちで、２個以上のブロック又は部は一つのブロック又は部として役目をするように組み合せることができ、一つのブロック又は部は対応する機能を行うために多数のブロック又は部に分割されることができる。ブロック又は部の統合された実施形態及びそれぞれのブロック又は部の分割された実施形態は本発明の思想を逸脱せず請求範囲に含まれる。
【００２６】
さらに、構成要素又は要素の部分は本発明で必須な機能を行うのに必要な構成要素又は要素として役目をしないこともあるが、性能を向上させるための選択的構成要素又は要素として役目ができる。本発明は性能向上のために用いられる要素を除いては本発明の思想を具現するために必要な構成要素又は要素のみを含むように具現されることができ、性能向上のために用いられる選択的要素を除いた必要な構成要素又は要素のみを含む構造はさらに本発明の範囲に含まれる。
【００２７】
本明細書に含まれたよく知られた機能及び構造に対する詳細な説明は本発明の主題を不明瞭にすることを避けるために省略されることができる。本発明の実施形態は添付された図面を参照して詳しく説明される。発明の説明及び請求範囲に説明された用語又は単語は一般的又は語彙的意味によって制限されてはいけなく、代りに発明者が発明のアイディアに従うために発明を定義して自分の能力の最上で現れる意味及び概念として分析されなければならない。
【００２８】
フローチャートでのプロセス、動作及びこの組み合せはコンピュータープログラム命令を通じて行われることができるということが理解すべきである。このようなコンピュータープログラム命令はプログラミングされることができるデータ処理装置のプロセッサ、特殊コンピューター又は汎用コンピューターに設置されることができる。データ処理装置又はコンピューターのプロセッサを通じて行われる命令はフローチャートのブロック(ブロックら)で説明された機能を行う手段を生成することができる。特定モードで機能を具現するため、コンピュータープログラミング命令又はコンピューター利用可能メモリ又はプログラミングされることができるコンピューター又はデータ処理装置をサポートすることができるコンピューター可読記録メモリに記憶されることができる。したがって、コンピューター利用可能メモリ又はコンピューター可読メモリに記憶された命令は製品に設置されることができ、本明細書において、フローチャートのブロック(ブロックら)で説明された機能を行うことができる。さらに、コンピュータープログラミング命令がさらにプログラミングされることができるコンピューター又はデータ処理装置に設置されることができるので、このような命令は本明細書でフローチャートのブロックに説明された一連の動作を行うプロセスを生成することができる。
【００２９】
実施形態において、用語構成要素“〜部”は、ソフトウェア要素又はＦＰＧＡ、ＡＳＩＣなどのようなハードウェア要素を指称し、対応する機能を行う。しかし、構成要素‘〜部’はソフトウェア又はハードウェア要素に制限されない。構成要素‘〜部’はアドレスによって指定されることができる記憶媒体で具現されることができる。構成要素‘〜部’はさらに一つ以上のプロセッサをさらに生成するように設定されることができる。例えば、構成要素‘〜部’は多様なタイプの要素(例えば、ソフトウェア要素、客体志向ソフトウェア要素、クラス要素、タスク要素など)、セグメント(例えば、プロセス、機能、達成(ａｃｈｉｅｖｅｓ)、属性(ａｔｔｒｉｂｕｔｅ)、手続き、サブルーチン、プログラムコードなど)、ドライバー、ファームウエア、マイクロコード、回路、データ、データベース、データ構造、テーブル、アレイ、変数などを含むことができる。要素及び構成要素‘〜部’によって提供された機能は少数の要素及び構成要素‘〜部’を組み合わせることによって形成されることができるか、又は付加的な要素及び構成要素‘〜部’に分割されることができる。さらに、要素及び構成要素‘〜部’はさらにデバイス及び保安マルチカードで一つ以上のＣＰＵを再生するために具現されることができる。
【００３０】
次の説明で、ＬＴＥシステム及びキャリアアグリゲーション(ｃａｒｒｉｅｒ ａｇｇｒｅｇａｔｉｏｎ)技術が簡単に説明される。
【００３１】
図１は、本発明の実施形態によるＬＴＥシステムの設定のダイヤグラムである。
【００３２】
図１を参照すれば、ＬＴＥシステムは進化されたＮｏｄｅ Ｂ(ｅｖｏｌｖｅｄ ｎｏｄｅ Ｂ)(ＥＮＢ、ｅＮＢ、Ｎｏｄｅ Ｂ又は基地局という)(１０５、１１０、１１５及び１２０)、ＭＭＥ(ｍｏｂｉｌｉｔｙ ｍａｎａｇｅｍｅｎｔ ｅｎｔｉｔｙ)１２５、及びＳ-ＧＷ(ｓｅｒｖｉｎｇ-ｇａｔｅｗａｙ)１３０を含む無線アクセスネットワークを設定する。ユーザ装置(ｕｓｅｒ ｅｑｕｉｐｍｅｎｔ；ＵＥ)(端末機ともいう)１３５は、ＥＮＢ(１０５、１１０、１１５又は１２０)及びＳ-ＧＷ１３０を通じて外部ネットワークに接続される。ＥＮＢ(１０５乃至１２０)は、汎用移動通信システム(ｕｎｉｖｅｒｓａｌ ｍｏｂｉｌｅ ｔｅｌｅｃｏｍｍｕｎｉｃａｔｉｏｎｓ ｓｙｓｔｅｍ；ＵＭＴＳ)の既存のＮｏｄｅ Ｂに対応する。ＥＮＢ(１０５乃至１２０)は無線チャンネルを通じてＵＥ１３５に接続され、既存のＮｏｄｅ Ｂよりさらに複雑な機能を行うことができる。ＬＴＥシステムにおいて、ＶｏＩＰ(ｖｏｉｃｅ ｏｖｅｒ ｉｎｔｅｒｎｅｔ ｐｒｏｔｏｃｏｌ)サービス及びすべてのユーザトラフィックのようなリアルタイムサービスが共有されたチャンネルを通じてサービスされるので、デバイスはＵＥデバイスのバッファー状態、利用可能な送信電力状態、チャンネル状態などのような状態に関する情報を収集してスケジュールを作成するのに必要となる。このような作業はＥＮＢ(１０５乃至１２０)を通じて行われる。一つのＥＮＢは多数のセルを制御する。例えば、１００Ｍｂｐｓの送信速度を具現するため、ＬＴＥシステムは２０ＭＨｚの帯域幅でＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)を無線アクセス技術として用いる。また、これはＡＭＣ(ａｄａｐｔｉｖｅ ｍｏｄｕｌａｔｉｏｎ ＆ ｃｏｄｉｎｇ)を用いて変調方式及びチャンネルコーディングレートを決定し、ＵＥ１３５のチャンネル状態に満たす。Ｓ-ＧＷ１３０は、データベアラー(ｂｅａｒｅｒ)を提供するデバイスである。Ｓ-ＧＷ１３０は、ＭＭＥ１２５の制御によってデータベアラーを形成したり除去する。ＭＭＥ１２５は、ＵＥの移動性を管理し、多様な機能を制御する。ＭＭＥ１２５は多数のＥＮＢ(１０５乃至１２０)に接続する。
【００３３】
図２は、本発明の実施形態によるＬＴＥシステムにおける無線プロトコルスタックのダイヤグラムである。
【００３４】
図２を参照すれば、ＵＥ及びＥＮＢはＰＤＣＰ(ｐａｃｋｅｔ ｄａｔａ ｃｏｎｖｅｒｇｅｎｃｅ ｐｒｏｔｏｃｏｌ)(２０５及び２４０)、ＲＬＣ(ｒａｄｉｏ ｌｉｎｋ ｃｏｎｔｒｏｌ)(２１０及び２３５)、及びＭＡＣ(ｍｅｄｉｕｍ ａｃｃｅｓｓ ｃｏｎｔｒｏｌ)(２１５及び２３０)をそれぞれ有する。ＰＤＣＰ(２０５及び２４０)は、ＩＰヘッダーを圧縮／圧縮解除する。ＲＬＣ２１０及び２３５は、ＰＤＣＰパケットデータ部(ｐａｃｋｅｔ ｄａｔａ ｕｎｉｔ；ＰＤＵ)を適切なサイズで再設定し、ＡＲＱ(ａｕｔｏｍａｔｉｃ ｒｅｐｅａｔ ｒｅｑｕｅｓｔ)動作を行う。ＭＡＣ(２１５及び２３０)は一つのＵＥデバイス内に設定された多数のＲＬＣ階層デバイスに接続する。ＭＡＣ(２１５及び２３０)は、ＭＡＣＰＤＵにＲＬＣ ＰＵＤを多重化し、ＭＡＣ ＰＤＵからＲＬＣ ＰＤＵを逆多重化する。ＵＥ及びＥＮＢの物理的階層(ｐｈｙｓｉｃａｌ ｌａｙｅｒ；ＰＨＹ)(２２０及び２２５)は上位階層からのデータをチャンネルコーディング及び変調し、ＯＦＤＭシンボルを生成して無線チャンネルを通じて送信することができる。さらに、ＰＨＹ(２２０及び２２５)は無線チャンネルを通じて送信されるＯＦＤＭシンボルを復調及びチャンネルデコーディングして上位階層へ伝達することができる。さらに、ＰＨＹ(２２０及び２２５)は、付加的なエラー訂正を行うためにハイブリッドＡＲＱ(ｈｙｂｒｉｄ ＡＲＱ；ＨＡＲＱ)を用いる。受信機はＨＡＲＱ ＡＣＫ／ＮＡＣＫ情報と呼ばれる送信機から送信されたパケットを受信したのかに対する条件のための１ビット信号を送信機へ送信する。アップリンク送信に応答してダウンリンクＨＡＲＱ ＡＣＫ／ＮＡＣＫ情報は物理的チャンネル、ＰＨＩＣＨ(ｐｈｙｓｉｃａｌ ｈｙｂｒｉｄ−ＡＲＱ ｉｎｄｉｃａｔｏｒ ｃｈａｎｎｅｌ)を通じて送信される。ダウンリンク送信に応答してアップリンクＨＡＲＱ ＡＣＫ／ＮＡＣＫ情報は物理的チャンネル、物理的アップリンク制御チャンネル(ＰＵＣＣＨ)又は物理的アップリンク共有されたチャンネル(ＰＵＳＣＨ)を通じて送信される。
【００３５】
待機時間の減少方式のうちの一つとして事前割り当てが考慮されることができる。
【００３６】
事前割り当ては、ＥＮＢがＵＥから送信リソースリクエストを受信しなかったがＵＥへのアップリンク送信リソースを割り当てるように許容する技術である。事前割り当てはＥＮＢが送信リソースリクエストを受信しなかったが不可避に送信されるデータを有しないＵＥへの送信リソースを割り当てる問題を引き起こす。
【００３７】
現在の仕様において、ＵＥは送信されるデータを有しないがＵＥがアップリンク承認を割り当てられる時、パディングＭＡＣ ＰＤＵを生成して送信することが強制される。パディングＭＡＣ ＰＤＵは意味あるデータを含ませずパディングビット及びパディングバッファー状態レポート(ｐａｄｄｉｎｇ ｂｕｆｆｅｒ ｓｔａｔｕｓ ｒｅｐｏｒｔ；ＢＳＲ)のみを含むＭＡＣ ＰＤＵを指称する。このような規則はパディングＭＡＣ ＰＤＵの発生頻度が非常に低いと仮定して定義される。
【００３８】
パディングＭＡＣ ＰＤＵの送信規則はＥＮＢがアップリンク送信電力を制御するように助け、関連したＥＮＢの具現を単純化するから有利である。ＥＮＢはＵＥデバイスに対する送信電力を制御する時、ＵＥから送信されたＭＡＣ ＰＤＵに応答してＨＡＲＱ ＡＣＫ／ＮＡＣＫメッセージの発生統計を参照することができる。例えば、ＨＡＲＱ ＮＡＣＫが発生しない時、これは現在の送信電力制御方法が適切であることを意味する。反対に、ＨＡＲＱ ＮＡＣＫが比較的頻繁に発生する時、これは現在使用中のアップリンク送信電力制御方法の修正される必要があることを示すことができる。
【００３９】
本発明はリソースが割り当てられるが送信されるデータを有するのでアップリンク送信を実行しないＵＥに新しい動作を提供することで事前割り当てを効率的に用いる。レガシー(ｌｅｇａｃｙ)ＥＮＢはリソースが割り当てられる時、逆方向送信を期待するから、レガシーＥＮＢは上述した新しい動作を使用しないことが好ましい。次の説明で、便宜上、送信リソースが利用できる時、アップリンク送信が無条件のに実行され、これは無条件の送信動作と呼ばれる。さらに、送信リソースが利用可能でも送信はプリセット条件を満足する時にだけ実行され、これは条件付き送信動作と呼ばれる。
【００４０】
例えば、条件付き送信動作を持つＵＥセットはＳＲＳ(ｓｅｍｉ-ｐｅｒｓｉｓｔｅｎｔ ｓｃｈｅｄｕｌｉｎｇ)アップリンク送信で設定されることができる。この場合に、ＳＰＳ及び非適応的再送信による第１送信はＴＴＩで互いに衝突することができる。この場合に、第１送信は非適応的再送信より優先順位を有することができる。しかし、ＵＥが第１送信で送信されたデータ(信号)を有しない時、ＵＥは第１送信前に非適応的再送信を行うことができる。
【００４１】
より具体的に、本発明の実施形態で、ＵＥはＥＮＢの命令によって無条件の送信動作又は条件付き送信動作を選択的に用いることができる。本発明は次のような特徴を有する。
【００４２】
● 条件付き送信動作は送信リソースのタイプ及びアップリンク送信を行うサービングセルによって用いられることができる。例えば、条件付き送信動作はＲＲＣ(ｒａｄｉｏ ｒｅｓｏｕｒｃｅ ｃｏｎｔｒｏｌ)を通じて設定されたサービングセルのＳＰＳアップリンク送信に限って適用され、無条件の送信動作は残りのアップリンク送信に適用される。
● 条件付き送信動作はＲＲＣを通じてセッティングされる時に限って用いられる。
● 条件付き送信動作は送信可能なデータが存在する場合を除いて第１送信に対するアップリンク承認が利用可能であるが送信が行わないプロセス又は動作を指称する。
○ 送信可能データは次のこと：(ＴＳ３６.３２３に定義された)ＰＤＣＰ階層で送信のために利用可能なデータ、(ＴＳ３６.３２２に定義された)ＲＬＣ階層及び次のようなことを含む(ＴＳ３６.３２１に定義された)ＭＡＣ ＣＥで送信のために利用可能なデータのうちの少なくとも一つを含むことができる。
−パディングＢＳＲを通じてトリガーされる短いＢＳＲ、長いＢＳＲ又は切られたＢＳＲを除いた残りアップリンクＭＡＣ ＣＥ；より具体的に、電力ヘッドルームレポート、Ｃ-ＲＮＴＩ ＭＡＣ ＣＥ、正規ＢＳＲを通じてトリガーされる長いＢＳＲ又は短いＢＳＲ。
● 第１送信と非適応的再送信間の衝突がＴＴＩで条件付き送信動作とセッティングされたＵＥで発生すると、ＵＥは第１送信のための送信リソースのタイプによって第１送信又は非適応的再送信を選択し、選択された送信を行うことができる。
○ 非適応的再送信がＳＰＳ(又は設定されたアップリンク承認)によって第１送信と衝突する時、非適応的再送信が行われる。
○ 非適応的再送信が正常アップリンク承認によって第１送信と衝突する時、第１送信が行われる。
【００４３】
図３は、本発明の実施形態によるアップリンク送信を説明するフローチャートである。
【００４４】
図３を参照すれば、ＵＥ３１０、ＥＮＢ３２０及び他のノード(図示せず)を含む移動通信システムにおいて、ＵＥ３１０は動作３３０でＥＮＢ３２０とのＲＲＣ接続を形成する。ＲＲＣ接続を形成することはＥＮＢ３２０及びＵＥ３１０がＲＲＣ制御メッセージを互いに交換するようにＳＲＢ(ｓｉｇｎａｌｉｎｇ ｒａｄｉｏ ｂｅａｒｅｒ)を設定するということを意味する。ＵＥ３１０がＲＲＣ接続形成リクエストメッセージをＥＮＢ３２０へ送信し、ＥＮＢ３２０がＲＲＣ接続形成メッセージをＵＥ３１０へ送信し；ＵＥ３１０がＲＲＣ接続形成完了メッセージをＥＮＢ３２０へ送信する方式でＲＲＣ接続はランダムアクセスプロセスを通じて形成されることができる。
【００４５】
動作３３０でＲＲＣ接続を形成した後、ＥＮＢ３２０は動作３４０でＵＥ３１０にＲＲＣ接続再設定を行うことを指示することができる。ＥＮＢ３２０はＳＰＳ設定情報(ＳＰＳ-ＣｏｎｆｉｇＵＬ)及びＲＲＣ接続再設定メッセージを通じて条件付き送信動作(ＳｋｉｐＵＬＴｘ)を行うように指示する情報をＵＥ３１０へ送信することができる。すなわち、アップリンク送信リソースが利用可能でもＲＲＣ接続再設定メッセージはＵＥ３１０が送信されるデータを有する時に限ってＵＥ３１０が割り当てられた送信リソース上でアップリンク送信を行うかに関する条件を含むことができる。
【００４６】
他の実施形態で、ＵＥが条件付き送信動作を用いるかに関する条件に対する情報はＲＲＣＣｏｎｎｅｃｔｉｏｎＲｅｃｏｎｆｉｇｕｒａｔｉｏｎメッセージのＳＰＳ-ＣｏｎｆｉｇＵＬの下位情報に含まれることができ、ＳｋｉｐＵｐｌｉｎｋＴｒａｎｓｍｉｓｓｉｏｎと呼ばれるＥＮＵＭＥＲＡＴＥＤ{ＳＥＴＵＰ}のフォーマットとして定義されることができる。例えば、ＵＥ３１０によって受信されたＲＲＣＣｏｎｎｅｃｔｉｏｎＲｅｃｏｎｆｉｇｕｒａｔｉｏｎメッセージのＳＰＳ-ＣｏｎｆｉｇＵＬがＳＥＴＵＰによって示されたＳｋｉｐＵｐｌｉｎｋＴｒａｎｓｍｉｓｓｉｏｎを含む時、これはサービングセルによる物理的アップリンク共有チャンネル(ＰＵＳＣＨ)送信のタイプが条件付き送信動作として示されることができるということを意味する。一方に、ＲＲＣＣｏｎｎｅｃｔｉｏｎＲｅｃｏｎｆｉｇｕｒａｔｉｏｎメッセージのＳＰＳ-ＣｏｎｆｉｇＵＬがＳＥＴＵＰによって示されたＳｋｉｐＵｐｌｉｎｋＴｒａｎｓｍｉｓｓｉｏｎを含まない時、これはサービングセルによるすべてのＰＵＳＣＨ送信が無条件の送信動作として示されることができるということを意味する。この場合に、サービングセルは情報、すなわち、ＳｅｍｉＰｅｒｓｉｓｔＳｃｈｅｄＳＣｅｌｌによって示されることができる。
【００４７】
ＳＰＳ設定情報は、次の表１乃至３のように定義されることができる。特に、ＳＰＳ設定情報はｓｅｍＰｅｒｓｉｓｔＳｃｈｅｄＩｎｔｅｒｖａｌＵＬの予備(ｓｐａｒｅ)６、予備５及び予備４を用いて比較的短いサイクルを新しく用いることができる。例えば、新しいサイクルはｓｆ１、ｓｆ２、ｓｆ４などであれば良い。
【００４８】
【表１】
2018530242.tif 000003
【００４９】
【表２】
2018530242.tif 000004
2018530242.tif 000005
【００５０】
【表３】
2018530242.tif 000006
【００５１】
新しい送信のために割り当てられたアップリンク送信リソースが動作３５０で利用できる時、ＵＥ３１０は動作３６０でアップリンク送信が行われるかを判断する。新しい送信のために割り当てられたアップリンク送信リソースはＵＥ３１０のＣ-ＲＮＴＩによってアドレシングされたＰＤＣＣＨ又はＳＰＳのための送信リソース、すなわち、設定されたＵＬ承認を通じて割り当てられる送信リソースであれば良い。
【００５２】
ＵＥ３１０は、ＳＰＳ-ＣｏｎｆｉｇＵＬ、ＳｋｉｐＵｐｌｉｎｋＴｒａｎｓｍｉｓｓｉｏｎ、ＳｅｍｉＰｅｒｓｉｓｔＳｃｈｅｄＳＣｅｌｌが存在するかに関する条件及び値、利用可能な送信リソースの特性、送信可能なデータが存在するかに関する条件などを考慮してアップリンク送信リソースを通じる送信を行うか(又はアップリンク送信リソースを通じて送信されるＭＡＣ ＰＤＵを生成するか)を判断し、動作３６０での判断に基づいてアップリンク送信を行うか、行わない。
【００５３】
ＨＡＲＱ再送信が第１送信のためにアップリンク承認によって、用いられるサブフレームでトリガーされる時、ＵＥ３１０はＳＰＳ-ＣｏｎｆｉｇＵＬ、ＳｋｉｐＵｐｌｉｎｋＴｒａｎｓｍｉｓｓｉｏｎ、ＳｅｍｉＰｅｒｓｉｓｔＳｃｈｅｄＳＣｅｌｌが存在するかに関する条件及び値、第１利用可能な送信リソースの特性、及び再送信のタイプを考慮して第１送信又は再送信を行うように決定し、アップリンク送信を行う。これに対しては後で詳しく説明されるだろう。
【００５４】
図４は、本発明の実施形態によるＵＥの動作を説明するフローチャートである。
【００５５】
図４を参照すれば、ＵＥ３１０は動作４１０でＥＮＢ３２０から制御メッセージ、ＲＲＣＣｏｎｎｅｃｔｉｏｎＲｅｃｏｎｆｉｇｕｒａｔｉｏｎを受信することができる。制御メッセージは次の情報及び表４を含むことができる。
【００５６】
● ＳＰＳ-ＣｏｎｆｉｇＵＬ:アップリンクＳＰＳ設定情報
○ ｓｅｍｉＰｅｒｓｉｓｔＳｃｈｅｄＩｎｔｅｒｖａｌＵＬ
【００５７】
【表４】
2018530242.tif 000007
【００５８】
○ ＳｋｉｐＵｐｌｉｎｋＴｒａｎｓｍｉｓｓｉｏｎ:条件付き送信命令。{ＳＥＴＵＰ}を列挙する。
○ ＳｅｍｉＰｅｒｓｉｓｔＳｃｈｅｄＳＣｅｌｌ:アップリンクＳＰＳを用いるサービングセルを示し、ＳｅｒｖＣｅｌｌＩｎｄｅｘ及び／又はＳＣｅｌｌＩｎｄｅｘを含む情報。
【００５９】
図４をさらに参照すれば、ＵＥ３１０は動作４２０でＳＰＳとセッティングされたサービングセルを識別することができる。
【００６０】
サービングセルは次のようにＳＰＳとセッティングされることができる。
【００６１】
ＳｅｍｉＰｅｒｓｉｓｔＳｃｈｅｄＳＣｅｌｌがシグナリング(又は設定)される時、ＳｅｍｉＰｅｒｓｉｓｔＳｃｈｅｄＳＣｅｌｌによって示されたサービングセルはＳＰＳとセッティングされることができる。
【００６２】
ＳｅｍｉＰｅｒｓｉｓｔＳｃｈｅｄＳＣｅｌｌがシグナリング(又は設定)されない時、ＰＣｅｌｌ又はＰＳＣｅｌｌはＳＰＳとセッティングされたサービングである。二重接続性がセットアップされないか、ＳｋｉｐＵｐｌｉｎｋＴｒａｎｓｍｉｓｓｉｏｎとセッティングされたＭＡエンティティーがＭＣＧのためのＭＡＣエンティティーである時、ＰＣｅｌｌはＳＰＳとセッティングされたサービングセルである。ＳｋｉｐＵｐｌｉｎｋＴｒａｎｓｍｉｓｓｉｏｎとセッティングされたＭＡＣエンティティーがＳＣＧのためのＭＡＣエンティティーである時、ＰＳＣｅｌｌはＳＰＳとセッティングされたサービングセルである。
【００６３】
ＵＥ３１０は動作４３０でＳＰＳとセッティングされたサービングセル(又はＳＰＳとセッティングされたサービングセルのスケジューリングセル)でＳＰＳＣ-ＲＮＴＩのモニタリングを開始することができる。スケジューリングセルはクロスキャリアスケジューリングとセッティングされたサービングセルに対するスケジューリング信号(ダウンリンク割り当て及びアップリンク承認)の送信を行うサービングセルを指称する。
【００６４】
ＵＥ３１０が動作４４０で次の条件を満足する物理的ダウンリンク制御チャンネル(ＰＤＣＣＨ)を受信する時、アップリンクＳＰＳは初期化されたことを確認し、動作４５０で進行する。
【００６５】
● ＵＥはＳＰＳとセッティングされたサービングセル(又はＳＰＳとセッティングされたサービングセルのスケジューリングセル)から対応するＭＡＣエンティティーの半永続スケジューリングＣ−ＲＮＴＩによってアドレシングされたＰＤＣＣＨを通じてアップリンク承認を受信する。
● アップリンク承認のＮＤＩ(ｎｅｗ ｄａｔａ ｉｎｄｉｃａｔｏｒ)が‘０’である時、ＰＤＣＣＨはＳＰＳリリース(ｒｅｌｅａｓｅ)を示しない。
【００６６】
図４をさらに参照すれば、ＵＥ３１０は次のような式を満足するサブフレームに設定されたアップリンク承認が動作４５０で順次に発生することを確認する。すなわち、ＵＥ３１０は次のような式に基づいてアップリンク承認が設定されるサブフレームを探知する。
【００６７】
−(１０ * ＳＦＮ＋ｓｕｂｆｒａｍｅ) = [(１０ * ＳＦＮｓｔａｒｔ ｔｉｍｅ＋ｓｕｂｆｒａｍｅｓｔａｒｔ ｔｉｍｅ)＋Ｎ * ｓｅｍｉＰｅｒｓｉｓｔＳｃｈｅｄＩｎｔｅｒｖａｌＵＬ＋Ｓｕｂｆｒａｍｅ_Ｏｆｆｓｅｔ * (Ｎ ｍｏｄｕｌｏ ２)] ｍｏｄｕｌｏ １０２４０。
【００６８】
ここでＳＦＮｓｔａｒｔ ｔｉｍｅ及びｓｕｂｆｒａｍｅｓｔａｒｔ ｔｉｍｅは設定されたアップリンク承認が(再)初期化された時にそれぞれのＳＦＮ及びサブフレームである。
【００６９】
この場合に、‘０’はＳｕｂｆｒａｍｅ_Ｏｆｆｓｅｔで取り替えられる。
【００７０】
ＵＥ３１０はアップリンク承認が動作４６０で次のように設定されたサブフレームを通じてアップリンク送信を行うかを判断する。
【００７１】
● ＳＰＳとセッティングされたサービングセルのアップリンク承認が設定されるサブフレームに対し、ＵＥは対応するサービングセルのＰＤＣＣＨを通じてＣ-ＲＮＴＩによってアドレシング(スケジューリング)されたアップリンク承認を受信した。
○ ＰＤＣＣＨのＮＤＩがトグル(ｔｏｇｇｌｅ)されるとき、ＵＤは第１送信が指示されたことを確認して(設定されたアップリンク承認を無視する)、Ｃ-ＲＮＴＩを通じて受信されたアップリンク承認のための第１送信を行う。
○ ＰＤＣＣＨのＮＤＩがトグルされない時、ＵＤは適応再送信が指示されたことを確認して(設定されたアップリンク承認を無視する)、Ｃ-ＲＮＴＩを通じて受信されたアップリンク承認のための適応再送信を行う。
● ＳＰＳとセッティングされたサービングセルのアップリンク承認が設定されるサブフレームに対し、ＵＥはＰＤＣＣＨを通じてアップリンク承認を受信しなかった。
○ ＳｋｉｐＵｐｌｉｎｋＴｘが設定されなかった時、ＵＥは第１送信が設定されたアップリンク承認によってトリガリングされることを確認する。
○ ＳｋｉｐＵｐｌｉｎｋＴｘが設定され；送信可能なデータが存在し；データが対応するＨＡＲＱプロセスのＨＡＲＱバッファーに記憶されていない時(すなわち、非適応的再送信がトリガリングされない時)、ＵＥは第１送信が設定されたアップリンク承認によってトリガリングされることを確認する。
○ ＳｋｉｐＵｐｌｉｎｋＴｘが設定され；送信可能なデータが存在し；データが対応するＨＡＲＱプロセスのＨＡＲＱバッファーに記憶されている時(すなわち、非適応的再送信がトリガリングされる時)、ＵＥは非適応的再送信がトリガリングされることを確認する。
○ ＳｋｉｐＵｐｌｉｎｋＴｘが設定され；送信可能なデータが存在しなく；データが対応するＨＡＲＱプロセスのＨＡＲＱバッファーに記憶されている時(すなわち、非適応的再送信がトリガリングされる時)、ＵＥは非適応的再送信がトリガリングされることを確認する。
○ ＳｋｉｐＵｐｌｉｎｋＴｘが設定され；送信可能なデータが存在せず；データが対応するＨＡＲＱプロセスのＨＡＲＱバッファーに記憶されていない時(すなわち、非適応的再送信がトリガリングされない時)、ＵＥはアップリンク送信がトリガリングされなく、対応するサービングセルの対応するＴＴＩでアップリンク送信を行わないことを確認する。
● 第１送信がＣ-ＲＮＴＩを通じて受信されたアップリンク承認によってトリガリングされる時、ＵＥは次のような動作を行う。
○ ＵＥはトグルに対応するＨＡＲＱプロセスのＮＤＩを考慮し、受信されたアップリンク承認に係るＨＡＲＱ情報を対応するサービングセルのＨＡＲＱエンティティーへ送信する。
○ＨＡＲＱエンティティーはアップリンク承認を用いることによって第１アップリンク送信を行う。
● 適応的再送信がＣ-ＲＮＴＩを通じて受信されたアップリンク承認によってトリガリングされる時、ＵＥは次のような動作を行う。
○ ＵＥは対応するＨＡＲＱプロセスのＮＤＩがトグルされないことを考慮し、受信されたアップリンク承認に係るＨＡＲＱ情報を対応するサービングセルのＨＡＲＱエンティティーへ送信する。
○ＨＡＲＱエンティティーはアップリンク承認を用いることで適応的再送信を行う。
● 第１送信が設定されたアップリンク承認によってトリガリングされる時、ＵＥは次のような動作を行う。
○ ＵＥはトグルに対応するＨＡＲＱプロセスのＮＤＩを考慮し、設定されたアップリンク承認に係るＨＡＲＱ情報を対応するサービングセルのＨＡＲＱエンティティーへ送信する。
○ＨＡＲＱエンティティーは設定されたアップリンク承認を用いることによって第１アップリンク送信を行う。
● 非適応的再送信がトリガリングされる時、ＵＥは次のような動作を行う。
○ ＵＥは対応するＨＡＲＱプロセスのＮＤＩがトグルされないことを考慮し、記憶されたアップリンク承認を用いることによって対応するＨＡＲＱプロセスのＨＡＲＱバッファーに記憶されたデータのアップリンク送信を行う。
【００７２】
移動通信システムは移動する間にユーザに通信サービスを提供するために開発された。技術の急速な発展に応じて、移動通信システムは音声通信だけではなく高速でデータ通信サービスを提供するために開発された。近年、次世代移動通信システムとして開発されたＬＴＥ(Ｌｏｎｇ Ｔｅｒｍ Ｅｖｏｌｕｔｉｏｎ)は３ＧＰＰ(３ｒｄ Ｇｅｎｅｒａｔｉｏｎ Ｐａｒｔｎｅｒｓｈｉｐ Ｐｒｏｊｅｃｔ)によって標準化されている。ＬＴＥ-Ａは現在提供されたデータ送信速度より早い送信速度の高速パケット基盤の通信を具現するために２０１０年下半期に標準化されている技術を指称する。
【００７３】
３ＧＰＰ標準の進化によって、通信速度を増加させる方法だけではなく無線ネットワークを容易に最適化する方法に対する論議が成った。一般的に、ｅＮＢ又はｅＮＢ制御ステーションは初期に無線ネットワークを構成したりネットワークを最適化する時、セルカバレッジのために無線環境に関する情報を収集する必要があり、これはドライブテストと呼ばれる。既存のドライブテストは、運転手が測定装置を持った自動車を運転し、比較的長期間の間、繰り返し的に測定を実行して運転手を大変にする方式に行われる。測定結果が分析され、分析された結果はｅＮＢ又はｅＮＢ制御ステーションのシステムパラメーターをセッティングすることに用いられる。既存のドライブテストは無線ネットワークの最適化及び走行費用を増加させて動作を行うのに多くの時間が掛かる。したがって、ドライブテストを最小化して無線環境のための受動設定及び分析プロセスを改善するための研究が行われ、これはＭＤＴ(ｍｉｎｉｍｉｚａｔｉｏｎ ｏｆ ｄｒｉｖｅ ｔｅｓｔ)と呼ばれる。このために、ＵＥデバイスが無線チャンネルを測定する間、ドライブテストを行う代りに、ＵＥデバイスは周期的に又は指定されたイベントの発生する時、対応する無線チャンネル測定値をｅＮＢへ送信する。代案としてＵＥデバイスは無線チャンネル測定値を記憶し、プリセット時間周期が経過した後、ｅＮＢへ送信する。
【００７４】
次の説明で、ＵＥが無線チャンネル及び他の付加情報に関する測定情報をｅＮＢへ送信するプロセスはＭＤＴ測定情報を報告するプロセスと呼ばれる。この場合に、ＵＥがｅＮＢと通信することができる時、これは直ちにチャンネル測定結果をｅＮＢへ送信する。ＵＥがチャンネル測定結果をｅＮＢに直ちに送信したり報告することができない時、ＵＥはＭＤＴ測定情報を記録し、通信ができる時に記録されたＭＤＴ測定情報をｅＮＢに報告する。ｅＮＢはＵＥからＭＤＴ測定情報を受信し、受信された情報を利用することによってセルカバレッジを最適化する。
【００７５】
図５は、ＭＤＴ(Ｍｉｎｉｍｉｚａｔｉｏｎ ｏｆ Ｄｒｉｖｅ Ｔｅｓｔ)の概念を示すダイヤグラムである。
【００７６】
図５を参照すれば、既存のドライブテスト５１０は運転手がギャップ領域を探索するためにサービスカバレージに対する測定装置を備えた自動車を運転し、測定装置を用いて信号状態を測定する方式に行われる。ＭＤＴでＵＥ５５０は測定を行う。
【００７７】
ネットワークモニタリングシステム(ｎｅｔｗｏｒｋ ｍｏｎｉｔｏｒｉｎｇ ｓｙｓｔｅｍ；ＮＭＳ)５２０は、ＭＤＴを行うように指示することができる。このために、ＮＭＳ５２０はＥＭ(ｅｌｅｍｅｎｔ ｍａｎａｇｅｒ)５３０に必要な設定情報を提供する。ＥＭ５３０はＭＤＴ設定を生成してｅＮＢ５４０へ送信する。ｅＮＢ５４０は動作５６０でＭＤＴ設定をＵＥ５５０に送信してＭＤＴを行うように指示する。ＵＥ５５０はＭＤＴ測定情報を収集する。ＭＤＴ測定情報は信号測定情報、測定位置及び時間情報を含むことができる。ＵＥ５５０は動作５８０で収集されたＭＤＴ測定情報をｅＮＢ５４０に報告する。ｅＮＢ５４０は収集された情報をＴＣＥ(ｔｒａｃｅ ｃｏｌｌｅｃｔｉｏｎ ｅｎｔｉｔｙ)５７０へ送信する。ＴＣＥ５７０はＭＤＴ測定情報を収集するサーバーとして指称される。
【００７８】
本発明の実施形態はＵＥが移動通信システムのＭＤＴを行うために接続するのに失敗する時、有用な情報を記録し；アイドルモードでＵＥに対する位置情報を効率的に獲得する方法及び装置を提供する。
【００７９】
次の説明で、ＵＥがアイドルモードでＭＤＴを行う方法が詳しく説明される。
【００８０】
図６は、ＵＥがアイドルモードでＭＤＴ測定情報を記録し、報告動作でＭＤＴ測定を行う方法を説明するフローチャートである。
【００８１】
図６を参照すれば、ｅＮＢ５４０はＭＤＴを設定し、動作６１０で対応する情報、例えば、チャンネル測定設定情報(ＭＤＴ設定)を接続モードでＵＥ５５０へ送信する。対応する情報は絶対タイミング基準情報、ロギング(ｌｏｇｇｉｎｇ)間隔、ロギング持続時間、ＭＤＴ ＰＬＭＮリストなどを含む。ロギング間隔は一つのサンプリングサイクルとして指称され、周期的なダウンリンクパイロット信号を測定するのに用いられる。ＵＥ５５０は提供されたサイクルごとにＭＤＴ測定情報を収集して記録する。ロギング持続時間はＭＤＴを行う総時間周期として指称される。ＭＤＴ ＰＬＭＮリストはＵＥ５５０がＭＤＴ測定情報を報告するＰＬＭＮのリストとして指称される。プリセット時間周期が経過する時、ＵＥ５５０はＭＤＴ動作を停止させる。
【００８２】
ＵＥ５５０がＲＲＣ状態を接続モードからアイドルモードに変更する時、これは動作６１５でＭＤＴを開始する。動作６２０で、第１ＭＤＴ測定が行われて記録されるので、ＵＥ５５０はＭＤＴ測定を継続実行し、動作６２５で以前に受信されたサンプリングサイクルごとにＭＤＴを記録する。ダイヤグラム６３０に示されたように、ＭＤＴ測定情報は測定サンプルごとに記録される。記録されたＭＤＴ測定情報はサービングセルのＩＤ、サービングセルに関するチャンネル測定情報(すなわち、ＲＳＲＰ／ＲＳＲＱ値など)、隣接したセルに関するチャンネル測定情報、ＵＥに関する位置情報、相手時間情報などを含むことができる。
【００８３】
ＵＥ５５０が動作６３５で接続モードに入ると、ＵＥ５５０は動作６４０でＭＤＴ測定情報を記録したかをｅＮＢ５４０に通知する。ｅＮＢ５４０は条件によってＵＥ５５０からレポートをリクエストすることができる。ＵＥ５５０がｅＮＢ５４０からリクエストを受信する時、ＵＥ５５０は自分が記録したＭＤＴ測定情報をｅＮＢ５４０に報告した後、記録された情報を除去する。一方、ＵＥ５５０がｅＮＢ５４０からリクエストを受信しない時、ＵＥ５５０は記録された情報を継続維持する。
【００８４】
動作６４５でＵＥ５５０がアイドルモードへ戻り、測定持続時間に対応する時間周期が経過しなかった時、ＵＥ５５０はＭＤＴ動作を継続実行し、動作６５０でＭＤＴ測定情報を収集する。測定持続時間は接続モードで時間周期を考慮したり考慮しないこともある。
【００８５】
測定持続時間が満了した時、ＵＥ５５０は動作６５５でＭＤＴを停止させる。ＵＥ５５０が動作６６０で接続モードに入る時、ＵＥ５５０はＭＤＴ測定情報を記録したことをｅＮＢ５４０に通知する。
【００８６】
ＵＥ５５０がｅＮＢ５４０からリクエストを受信する時、ＵＥ５５０は動作６６５で記録されたＭＤＴ測定情報をｅＮＢ５４０に報告する手続きを行う。
【００８７】
図７は、ｅＮＢのリクエストに従ってＵＥが記録されたチャンネル測定情報をｅＮＢに報告する方法を説明するフローチャートである。
【００８８】
図７を参照すれば、ＵＥ５５０は動作７１５からｅＮＢ５４０と通信するアクセス試みをトリガーする。ＵＥ５５０は動作７２０でランダムアクセスを試みる。
【００８９】
その後、ＵＥ５５０は動作７２５で接続モードに入る。ｅＮＢ５４０は動作７３０でＵＥがアイドルモードでＭＤＴを行うために用いる情報、すなわち、チャンネル測定設定情報をメッセージ、ＬｏｇｇｅｄＭｅａｓｕｒｅｍｅｎｔＣｏｎｆｉｇｕｒａｔｉｏｎを通じてＵＥ５５０へ送信する。
【００９０】
その後、ＵＥ５５０は動作７４０で現在モードをアイドルモードに変更する。ＭＤＴ測定を行うタイミングが到逹する時、ＵＥ５５０は動作７４５でＭＤＴ測定を行う。ＵＥ５５０は動作７５０でログされたＭＤＴを行う。プリセット時間周期が経過した時、ＵＥ５５０は動作７５５でＭＤＴ測定を停止させる。
【００９１】
ＵＥ５５０は動作７６０で現在モードを接続モードに変更するように判定する。ＵＥ５５０は動作７６５でＲＲＣ接続リクエストメッセージ、ＲＲＣＣｏｎｎｅｃｔｉｏｎＲｅｑｕｅｓｔをｅＮＢ５４０へ送信する。ｅＮＢ５４０がＲＲＣ接続リクエストを許容する時、ｅＮＢ５４０は動作７７０でＲＲＣ接続セットアップメッセージ、ＲＲＣＣｏｎｎｅｃｔｉｏｎＳｅｔｕｐをＵＥ５５０へ送信する。接続モードでのＵＥ５５０は動作７７５でアイドルモードで記録されたチャンネル測定情報を持っていることをｅＮＢ５４０に通知する。
【００９２】
このために、ＵＥ５５０はＵＥ５５０がアイドルモードで記録されたチャンネル測定情報を有していることを示す一つの指示(ｉｎｄｉｃａｔｉｏｎ)を含むＲＲＣ接続セットアップ完了メッセージ、ＲＲＣＣｏｎｎｅｃｔｉｏｎＳｅｔｕｐＣｏｍｐｌｅｔｅをｅＮＢ５４０へ送信する。ＵＥ５５０はこのような指示をすべてのＰＬＭＮに送信せず、このような指示をＭＤＴＰＬＭＮリストに含まれた現在ＲＰＬＭＮへ送信する。ＲＰＬＭＮ(ｒｅｇｉｓｔｅｒｅｄ ｐｕｂｌｉｃ ｌａｎｄ ｍｏｂｉｌｅ ｎｅｔｗｏｒｋ)はＵＥ５５０がサービスを受信するＰＬＭＮとして指称される。ＵＥ５５０がターンオンされたり現在のＰＬＭＮを変更する必要がある時、ＵＥはＴＡＵ(ｔｒａｃｋｉｎｇ ａｒｅａ ｕｐｄａｔｉｎｇ)プロセス、すなわち、選択されたＰＬＭＮを通じて自分に適切なＰＬＭＮを決定し、選択されたＰＬＭＮをＭＭＥ(図示せず)に報告する。ＭＭＥは選択されたＰＬＭＮが適切だるかを確認する時、選択されたＰＬＭＮがＲＰＬＭＮ役目をするように選択されたＰＬＭＮが適切さをＵＥ５５０に通知する。
【００９３】
ハンドオーバーの場合に、ＵＥ５５０はメッセージ、ＲＲＣＣｏｎｎｅｃｔｉｏｎＲｅｃｏｎｆｉｇｕｒａｔｉｏｎＣｏｍｐｌｅｔｅからアイドルモードに記録されたチャンネル測定情報を持つことを示す指示を含むことができる。
【００９４】
ＵＥ５５０がこのような指示をｅＮＢ５４０へ送信する時、これはＵＥ５５０がｅＮＢ５４０にＭＤＴ測定情報を記録したのかを通知することによってｅＮＢ５４０がこのような指示に基づいてＵＥ５５０からＭＤＴ測定情報の送信をリクエストするかを判断することができるということを意味する。例えば、ＵＥ５５０は比較的長期間の間の周期間のアイドルモードで動作するので、比較的多い量のチャンネル測定情報を記録することができる。この場合に、ＵＥ５５０が現在モードを接続モードで転換する時、ＵＥ５５０は記録された情報の送信のために比較的多い量のリソースを要する。ｅＮＢ５４０は現在無線容量条件などを考慮してＵＥ５５０からＭＤＴ測定情報のレポートを受信するかを判断する。ｅＮＢ５４０がＵＥ５５０によって記録されたチャンネル測定情報が有用であるということを確認する時、ｅＮＢ５４０は動作７８０でＵＥ情報リクエストメッセージ、ＵＥＩｎｆｏｒｍａｔｉｏｎＲｅｑｕｅｓｔを通じてＵＥからのＭＤＴ測定情報をリクエストする。
【００９５】
ＵＥ５５０がｅＮＢ５４０からＵＥ情報リクエストを受信する時、ＵＥ５５０は動作７８５でｅＮＢ５４０に記録したＭＤＴ測定情報の送信をトリガリングする。一般的に、記録されたＭＤＴ測定情報は直ちに送信される必要がない。したがって、記録されたＭＤＴ測定情報は他のＲＲＣメッセージと普通のデータの優先順位を考慮して送信される必要がある。ＵＥ５５０は動作７９０でＭＤＴ測定情報を含むＵＥ情報応答メッセージ、ＵＥＩｎｆｏｒｍａｔｉｏｎＲｅｓｐｏｎｓｅをｅＮＢ５４０へ送信する。他の実施形態で、ＵＥ５５０はｅＮＢに一度送信されたＭＤＴ測定情報を削除することができる。
【００９６】
図８は、ＩＤＣ(ｉｎ-ｄｅｖｉｃｅ ｃｏｅｘｉｓｔｅｎｃｅ)を説明するダイヤグラムである。
【００９７】
ＩＤＣ(ｉｎ-ｄｅｖｉｃｅ ｃｏｅｘｉｓｔｅｎｃｅ)は、デバイスでの通信モジュール間の干渉を最小化し、研究過程にある技術として指称される。最近のＵＥデバイスは多様な機能を備え、機能をサポートするための多様なタイプの通信モジュールを含んでいる。図８を参照すれば、ＵＥはＬＴＥ通信モジュール８００、例えば、ＧＰＳモジュール８０５、短距離通信モジュール８１０などだけでなく多様な通信モジュールを含むことができる。短距離通信モジュール８１０はブルートゥース（登録商標）モジュール、ＷＬＡＮモジュールなどを含む。このようなモジュール(８００、８０５及び８１０)は対応する個別アンテナ(８１５、８２０及び８２５)を通じてデータの送受信を行う。個別通信システムはそれぞれ相違する周波数帯域を用いるが、周波数帯域が互いに隣接する時、これは通信モジュール間に干渉を引き起こすことができる。このような干渉は対応する周波数帯域を通じて送受信される信号が互いに理想的に分離することができないから引き起こす。特に、個別通信モジュール(８００、８０５及び８１０)及び対応するアンテナ(８１５、８２０及び８２５)は短距離内で互いに非常に近い単一のＵＥデバイスに含まれる。したがって、構成要素間の干渉の強度は比較的高い。
【００９８】
干渉を減らすため、通信モジュール(８００、８０５及び８１０)間の送信電力は制御される必要がある。例えば、ブルートゥース（登録商標）、ＷＬＡＮなどのような短距離通信モジュール８１０がＬＴＥアップリンク上でデータを受信しようと試みる時、ＬＴＥ通信モジュール８００の送信信号は短距離通信モジュール８１０と干渉を引き起こすことができる。干渉を減らすため、ＬＴＥ通信モジュール８００の最大アップリンク送信電力は制限されることによって、干渉量を制御する。代案で、ＬＴＥ通信モジュール８００の動作は一時的に止められることによって、短距離通信モジュール８１０に影響を与える干渉電力量を除去する。対照的に、ＬＴＥダウンリンク上の短距離通信モジュール８１０はＬＴＥ通信モジュール８００の受信信号との干渉を引き起こすことができる。干渉を減らすため、短距離通信モジュール８１０の最大ダウンリンク送信電力は制限されたり短距離通信モジュール８１０の動作は一時的に止められることによって、ＬＴＥ通信モジュール８００に影響を及ぼす干渉量を制御する。
【００９９】
図９は、現在３ＧＰＰが移動通信に用いる周波数帯域のうちのＩＳＭ帯域に隣接した周波数帯域を示すダイヤグラムである。
【０１００】
ＩＳＭ帯域(参照番号９００と表示される)、Ｂａｎｄ４０(参照番号９０５と表示される)及びＢａｎｄ７(参照番号９１０と表示される)は互いに隣接した周波数帯域を有することができる。移動通信セルがＢａｎｄ４０を用いる状態で、ＷＬＡＮがチャンネル１、Ｃｈ１を用いる時、これは深刻な干渉現象を引き起こす。移動通信セルがＢａｎｄ７を用いる状態で、ＷＬＡＮがチャンネル１３、Ｃｈ１３、又はチャンネル１４、Ｃｈ１４を用いる時、これはさらに深刻な干渉現象を引き起こす。したがって、干渉  が引き起こすことを防止する方法が必要である。
【０１０１】
ＵＥでの通信モジュール間の干渉を避けるため、レガシーＬＴＥ標準はＴＤＭによってＤＲＸ設定情報を調整してモジュール間のＩＤＣ干渉を減らす方法を提供する。
【０１０２】
図１０は、ＵＥがＬＴＥ標準でＩＤＣ干渉を最小化することができるＤＲＸ設定情報をｅＮＢに提供する方法を説明するフローチャートである。
【０１０３】
図１０を参照すれば、ｅＮＢ５４０は動作１０１０でセル測定、ＤＲＸなどのような多様な設定情報を提供するためにメッセージ、ＲＲＣ Ｃｏｎｎｅｃｔｉｏｎ ＲｅｃｏｎｆｉｇｕｒａｔｉｏｎをＵＥ５５０へ送信する。ＵＥ５５０がｅＮＢ５４０からの命令によって測定される周波数がＩＤＣ干渉によって影響を受けるということを確認する時、ＵＥ５５０は動作１０１５でメッセージ、ＩｎＤｅｖｉｃｅＣｏｅｘＩｎｄｉｃａｔｉｏｎを用いてＩＤＣ干渉を最小化するためのＤＲＸ設定情報をｅＮＢへ送信する。ＤＲＸ設定情報はＤＲＸサイクル,ＤＲＸ開始タイミングを示すオフセット値、ＤＲＸ活性時間情報などを含む。表５は、ＬＴＥ標準ＴＳ３６.３３１に定義されたＩＤＣ干渉を最小化するためのＤＲＸ設定情報である。
【０１０４】
【表５】
2018530242.tif 000008
【０１０５】
表５で、ｓｆ４０は４０個のサブフレームの単位を示す。ｄｒｘ-ＯｆｆｓｅｔはＤＲＸ開始タイミングを示すオフセット値を示す。すなわち、[(ＳＦＮ * １０)＋サブフレーム数]モジュールで(ｄｒｘ-ＣｙｃｌｅＬｅｎｇｔｈ)＝ｄｒｘ-Ｏｆｆｓｅｔが定義される。このような式は‘ＳＦＮ(ｓｙｓｔｅｍ ｆｒａｍｅ ｎｕｍｂｅｒ)'を用いる。ＳＦＮは無線フレームの注文番号であり、０から１０２３まで番号が付けられる。
【０１０６】
ＭＤＴ動作を行うＵＥ５０がＩＤＣ干渉が発生することを探知する時、ＵＥ５０は収集されているＭＤＴ測定情報を処理する必要がある。ＭＤＴ動作を通じて収集されたＭＤＴ測定情報はネットワーク最適化のために用いられるだろう。収集されたＭＤＴ測定情報がＩＤＣ干渉の影響を受ける時、測定情報はネットワーク最適化のために使用されないことが好ましい。測定情報はＵＥ５５０での通信モジュール間の干渉のためにサービスカバレッジ品質を示すのに適切ではない。本発明は、ＩＤＣ干渉によって汚染したＭＤＴ測定情報を処理する方法を提供する。本発明はさらにＭＤＴ測定情報がＩＤＣ干渉によって影響を受けるということを通知する指示を挿入する方法を提供する。
【０１０７】
ＩＤＣ干渉によって汚染したＭＤＴ測定情報を処理する方法のうちの一つは、ＵＥ５５０が汚染したＭＤＴ測定情報を削除するようにする方法である(オプション１)。この場合に、ＵＥ５５０は削除された情報をネットワークに報告しない。したがって、ネットワークはネットワーク最適化のために汚染した情報を除く。汚染したログ(ｌｏｇ)を除去する方法は、ＵＥ５５０が無線サービス領域を通じて送信されるＭＤＴデータの量を減少させることができることによってシグナリングオーバーヘッドを減少させる利点がある。ネットワークがＭＤＴ動作をセッティングする時、アイドルモードでのＵＥ５５０はＭＤＴ測定情報を周期的に収集して記録する。サイクルごとに記録されるＭＤＴ測定情報はログと呼ばれる。ＵＥ５５０は一セットのログをネットワークに報告する。ＵＥ５５０は収集されたログのうちでＩＤＣ干渉によって汚染したログを除去することが最も容易である。
【０１０８】
次の表６は、ＭＤＴ動作を実行したＵＥ５５０がメッセージ、ＵＥＩｎｆｏｒｍａｔｉｏｎＲｅｓｐｏｎｓｅを用いてネットワークに報告するＭＤＴ測定情報(ＵＥＩｎｆｏｒｍａｔｉｏｎＲｅｓｐｏｎｓｅメッセージでのＭＤＴ測定情報)を示す。ＬｏｇＭｅａｓＩｎｆｏ ＩＥは上述したログとして指称される。ログのセットはネットワークに報告される。ＬｏｇＭｅａｓＩｎｆｏはログごとに記録されたタイムスタンプ値を含み、選択的に位置情報を含むことができる。ＬｏｇＭｅａｓＩｎｆｏはさらに収集されたセルＩＤ、サービングセルの受信された信号強度に関する情報、及びＲＡＴ／周波数によって隣接したセルの受信された信号強度に関する情報を含むことができる。
【０１０９】
【表６】
2018530242.tif 000009
【０１１０】
ＩＤＣ干渉は、常にすべての周波数帯域に影響を与えるのではない。例えば、図９に示されたように、ＩＳＭ帯域９００に隣接したＬＴＥ帯域(９０５及び９１０)は干渉によって影響を受けることができる。したがって、ＩＤＣ干渉が発生してもログに記録された情報の一部だけが干渉によって影響を受ける可能性が非常に大きい。すべての汚染したログが削除される時、これは干渉によって影響を受けた他の周波数に関する測定情報を削除させることができるということが欠点である。この場合に、ネットワークはネットワーク最適化のために削除された情報を使用しない。
【０１１１】
ＩＤＣ干渉によって汚染したＭＤＴ測定情報を処理する他の方法は、ＵＥ５５０がログの間の汚染した周波数に対応するＭＤＴ測定情報を削除するようにすることである(オプション２)。例えば、表６に説明されたＭｅａｓＲｅｓｕｌｔｌｉｓｔＥＵＴＲＡ ＩＥは周波数によって隣接したセルに関する測定情報を含む。周波数Ｆ１、Ｆ２及びＦ３が用いられることで推定される。周波数Ｆ２がＩＤＣ干渉によって影響を受ける時、ＵＥ５５０は周波数Ｆ２に対応する隣接したセルに関する測定情報を除去することができる。ログでの干渉によって影響を受けた測定情報だけが除去される時、ネットワークは干渉によって影響を受けない残り情報を用いることができるということが利点である。
【０１１２】
サービス提供者ネットワークを最適化するため、上述したオプション１及びオプション２はＭＤＴ測定が実際に行われるか、又はＩＤＣ干渉によって影響を受けるＭＤＴ測定情報が除去されるかに関する条件に対する情報を要することができる。サービス提供者が条件に対する情報を認識することができない時、サービス提供者は測定情報が記録されない原因(ｃａｕｓｅ)、例えば、実際セルが無し、エラーの存在、ＩＤＣ干渉によったＵＥ５５０による除去などを探知することができない。ネットワーク最適化は原因のタイプによって相当に変わることができる。例えば、ＵＥ５５０がＩＤＣ干渉によって測定情報を実際に除去してもネットワークはＵＥがセル信号を探知しなく、すなわち、ＵＥがギャップサービス領域にあるかを確認することができる。さらに、ＭＤ測定が実際に行われるか、又はＩＤＣ干渉によって影響を受けたＭＤＴ測定情報が除去されるかに関する情報はオプションによって相違する方法によって示されることができる。本発明は、ＵＥ５５０がＩＤＣ干渉によって測定が影響を受けるかに関する条件に対する情報を効果的に示す方法を提供する。
【０１１３】
図１１は、本発明の実施形態によるオプション１に基づいてＭＤＣ測定情報がＩＤＣ干渉によって除去されるかに関する条件に対する情報を設定する方法を説明するダイヤグラムである。
【０１１４】
図１１を参照すれば、オプション１はログ自体を削除せず、ログに１ビット表示(ｂｉｔ ｉｎｄｉｃａｔｉｏｎ)を含む。ログが削除される時、ログがエラーによって除去されるかアイドルモードでのＵＥ５５０がアイドルモードを接続モードに変更するからＭＤＴ動作を一時的に停止させるようにネットワークはエラーを起こすことができる。したがって、オプション１は有利なシグナリングオーバーヘッドを減少させることができ、ＭＤＴ測定情報が最小ビットを用いることによってＩＤＴ干渉によって除去されるかをネットワークに通知することができる。例えば、アイドルモードでのＵＥはログ１０００を周期的に生成する。ＩＤＣ干渉が発生する時、これは指定されたログ(１１１０及び１１１５)に影響を及ぼす。この場合に、ＵＥ５５０はＩＤＣ干渉が発生したログ(１１１０及び１１１５)に１ビット表示(１１２０及び１１２５)を含ませる。また、ＵＥ５５０はさらに１ビット表示(１１２０及び１１２５)と共にＩＤＣ干渉が発生したログ(１１１０及び１１１５)にタイムスタンプ情報及び位置情報を含ませることができる。
【０１１５】
図１２は、本発明の実施形態によるオプション１に基づいてＭＤＣ測定情報がＩＤＣ干渉によって除去されるかに関する条件に対する情報を設定する他の方法を説明するダイヤグラムである。
【０１１６】
図１２を参照すれば、シグナリングオーバーヘッドを減らすため、本方法はＩＤＣ干渉によって影響を受ける最小ログ１２００及び最後のログ１２０５に１ビット表示、タイムスタンプ及び位置情報を含ませる。ＩＤＣ干渉が実際に解除されたり連続的に発生してもＵＥ５５０がアイドルモードＭＤＴを行う時、現在モードを接続モードに変更する場合には最後のログ１２０５が用いられる。
【０１１７】
オプション２がオプション１のように１ビット表示の付加のみを行う時、これはＩＤＣ干渉によって除去された測定情報が対応する周波数をネットワークに通知することができない。本発明はＩＤＣ干渉によって除去された測定情報が対応する周波数のリストを対応するログに付加する方法を提供する。例えば、周波数リストＩＥは次の表７のようにＲＡＴによって生成されることができる。以下の表７で説明されるように、ＥＵＴＲＡ周波数はＩＤＣ干渉によって影響を受ける周波数のリストを示す。代案で、他の実施形態によれば、ＲＡＴではない共通周波数リストＩＥが生成されることができ、リスト内のＲＡＴが示されることができる。
【０１１８】
【表７】
2018530242.tif 000010
【０１１９】
無線通信システムはハイクオリティー通信サービスを提供するためにソフトウェア又はハードウェアの側面で進化した。例えば、多数のアンテナを用いる通信技術が開発された。物理的信号からデータを効率的に復元する技術が発展した。
【０１２０】
大きい通信容量の増加する要求を満たすため、多数の技術、例えば多数の接続を提供する方法が提案された。ＬＴＥシステムで、キャリアアグリゲーション(ｃａｒｒｉｅｒ ａｇｇｒｅｇａｔｉｏｎ；ＣＡ)技術は多数のキャリアを用いる多数の接続部(ｃｏｎｎｅｃｔｉｏｎ)を提供することによって、ユーザは多数のリソースを通じて多様なサービスを受信することができる。
【０１２１】
本発明の実施形態はＬＴＥ-ＷＡＮアグリゲーション(ＬＷＡ)技術でＬＴＥ ｅＮＢ支援型ＷＬＡＮ認証方式を用いる暗号化方法を提供する。より具体的に、ＬＴＥ ｅＮＢ暗号化鍵はＬＴＥ ｅＮＢハンドオーバーが行われる時に変更されても、ＵＥはＷＬＡＮ ＡＰの暗号化鍵を用いる。ＵＥが相違するＷＬＡＮ ＡＰ又は同一のＷＬＡＮ ＡＰに接続したり再接続する時、ＵＥはＵＥがハンドオーバーされるＬＴＥ ｅＮＢの暗号化鍵に基づいて認証を行う。
【０１２２】
次の説明で、アクセスノードを識別するために用いられる用語、ネットワークエンティティーとして指称される用語、メッセージを表現する用語、ネットワーク客体間のインターフェースを示す用語、多様なタイプの識別情報に用いられる用語などは説明の便宜のために用いられる。したがって、本発明はこのような用語によって制限されず、本開示で説明され、対応する構成要素を示す用語と同等な意味を持つ他の用語を用いることができる。
【０１２３】
説明の便宜のために、本開示は３ＧＰＰ ＬＴＥ(３ｒｄ ｇｅｎｅｒａｔｉｏｎ ｐａｒｔｎｅｒｓｈｉｐ ｐｒｏｊｅｃｔ ｌｏｎｇ ｔｅｒｍ ｅｖｏｌｕｔｉｏｎ)及びＩＥＥＥ(ｉｎｓｔｉｔｕｔｅ ｏｆ ｅｌｅｃｔｒｉｃａｌ ａｎｄ ｅｌｅｃｔｒｏｎｉｃ ｅｎｇｉｎｅｅｒｓ)８０２.１１の仕様で定義された用語及び名前を用いる。しかし、本発明は用語及び名前に制限されず、他の標準に従うシステムにも適用されることができるということが理解されなければならない。
【０１２４】
次の説明はセルラ通信システムにおいて、ＷＬＡＮ(ｗｉｒｅｌｅｓｓ ｌｏｃａｌ ａｒｅａ ｎｅｔｗｏｒｋ)技術を用いて二重接続性を提供する本発明の実施形態を説明する。しかし、本発明はさらにＲＡＴ(ｒａｄｉｏ ａｃｃｅｓｓ ｔｅｃｈｎｏｌｏｇｙ)に適用されることができるということが理解されなければならない。
【０１２５】
図１３は、本発明の実施形態による無線通信システムのネットワーク設定を示すダイヤグラムである。
【０１２６】
図１３を参照すれば、無線通信システムはｅＮＢ Ａ１３１０、ｅＮＢ Ｂ１３１３、ｅＮＢ Ｃ１３１５、移動性管理エンティティー(ｍｏｂｉｌｉｔｙ ｍａｎａｇｅｍｅｎｔ ｅｎｔｉｔｉｅ；ＭＭＥ)／サービングゲートウェー(ｓｅｒｖｉｎｇ-ｇａｔｅｗａｙ；Ｓ-ＧＷ)(１３２０及び１３２５)及びアクセスポイント(ａｃｃｅｓｓ ｐｏｉｎｔ；ＡＰ)１３５０を含む。３個のｅＮＢ(１３１０、１３１３及び１３１５)に基づいて本実施形態が説明されるが、本実施形態はさらに２個のｅＮＢ又は４個以上のｅＮＢを含む方式で修正されることができるということが理解すべきである。ＭＭＥ／Ｓ-ＧＷ(１３２０及び１３２５)はＭＭＥ及びＳ-ＧＷで分離することができる。
【０１２７】
ｅＮＢ(１３１０、１３１３及び１３１５)は、セルラネットワークのアクセスノードとして指称され、ネットワークに接続するためにＵＥデバイス(図示せず)に無線アクセスを提供する。すなわち、ｅＮＢ(１３１０、１３１３及び１３１５)は、コアネットワークとＵＥデバイス間の接続部をサポートする。本発明の多様な実施形態によれば、ｅＮＢ Ａ１３１０はＡＰ１３５０を通じる二重接続性をＵＥに提供する。
【０１２８】
ＭＭＥ／Ｓ-ＧＷ(１３２０及び１３２５)は、ＵＥの移動性を管理する。ＭＭＥ／Ｓ-ＧＷ(１３２０及び１３２５)はさらにＵＥがネットワークに接続するための認証、ベアラー管理などを行うことができる。ＭＭＥ／Ｓ-ＧＷ(１３２０及び１３２５)は、ｅＮＢ(１３１０、１３１３及び１３１５)から送信されたパケット又はｅＮＢ(１３１０、１３１３及び１３１５)へフォワーディング(ｆｏｒｗａｒｄｉｎｇ)されるパケットを処理する。
【０１２９】
ＡＰ１３５０は、ＷＬＡＮのアクセスノードであり、ＵＥデバイスに無線アクセスを提供する。  特に、本発明の多様な実施形態によれば、ＡＰ１３５０はｅＮＢ Ａ１３１０の制御によって二重接続性のためのＷＬＡＮ基盤の接続部をＵＥに提供することができる。本発明の実施形態によれば、ＡＰ１３５０はｅＮＢ Ａ１３１０に含まれることができるか、別個のインターフェースを通じてｅＮＢ Ａ１３１０に接続されることができる。この場合に、ｅＮＢ Ａ１３１０はダウンリンクデータの一部をＵＥへ送信することができるか；又は他のダウンリンクデータを ＡＰ１３５０を通じてＵＥへ送信することができる。ＵＥはアップリンクデータの一部をｅＮＢ Ａ１３１０へ送信することができ、他のアップリンクデータをＡＰ１３５０へ送信することができる。
【０１３０】
ＵＥはｅＮＢ Ａ１３１０を通じてセルラネットワークに接続することができる。本発明の実施形態によれば、ｅＮＢ Ａ１３１０は付加的にＵＥがＡＰ１３５０に接続するようとセッティングすることによって、ＵＥがより広い帯域上で通信することができるようにする。コアネットワークエンティティー(例えば、ＭＭＥ、Ｓ-ＧＷ、パケットデータネットワークゲートウェー(ｐａｃｋｅｔ ｄａｔａ ｎｅｔｗｏｒｋ ｇａｔｅｗａｙ；Ｐ-ＧＷ)など)は無線領域でＡＰ１３５０を付加的に用いることによって二重接続性がセッティングされたことを認識することができなくても、これはサービスを提供することができる。この場合に、二重接続性はＬＴＥ-ＷＬＡＮアグリゲーション(又はキャリアアグリゲーション(ＣＡ)又は統合)と呼ばれる。
【０１３１】
エンティティーがＡＰ１５３０を通じて二重接続性を提供すると、データを送信するための接続部が決定される必要がある。例えば、ダウンリンクの場合に、ｅＮＢ Ａ１３１０はコアネットワークからデータを受信してデータを直接送信するか又はＷＬＡＮを通じて送信するかを判断する。アップリンクの場合に、ＵＥはデータを送信する経路を決定してデータをコアネットワークへ送信する。
【０１３２】
図１４は、ＬＴＥ-ＷＬＡＮ統合技術を用いる時、ＬＴＥ ｅＮＢ支援型ＷＬＡＮ認証方式に基づいてＵＥとｅＮＢ間のメッセージ流れを説明するフローチャートである。
【０１３３】
図１４を参照すれば、ｅＮＢ１４３０は動作１４４０でＵＥ１４１０に自分の隣接したＷＬＡＮを測定するように指示する測定設定をＵＥ１４１０へ送信する。測定設定を受信した後、ＵＥ１４１０は測定設定情報による条件を満たすためにＷＬＡＮを検索して(ｄｉｓｃｏｖｅｒ)、動作１４４３で検索結果(測定レポート)をｅＮＢ１４３０に報告する。ｅＮＢ１４１０は受信された報告結果(ＡＰ選択)に含まれたＷＬＡＮ ＡＰから一つのＷＬＡＮ ＡＰ１４２０を選択し、動作１４４５でＷＬＡＮ認証のために用いられる共有された暗号化鍵を生成する。動作１４４７でｅＮＢ１４３０は生成された鍵を選択されたＷＬＡＮ ＡＰ１４２０へ送信する。動作１４４５で生成された暗号化鍵はＰＡＭ(ｐａｉｒｗｉｓｅ ｍａｓｔｅｒ ｋｅｙ)と呼ばれる。ｅＮＢ１４３０は自分の暗号化鍵(例えば、ｅＮＢ１４３０の暗号化鍵ＫｅＮＢ又は暗号化鍵ＫｅＮＢから導出されたＫＵＰｅｎｃ、ＫＲＲＣｅｎｃ、ＫＲＲＣｉｎｔ、など)を用いてＰＭＫを生成することができる。
【０１３４】
ｅＮＢ１４３０は、動作１４４９でＵＥ１４１０が選択されたＷＬＡＮ ＡＰ１４２０を用いるようにする設定情報、ＲＲＣＣｏｎｎｅｃｔｉｏｎＲｅｃｏｎｆｉｇｕｒａｔｉｏｎを ＵＥ１４１０へ送信する。ＵＥ１４１０は動作１４５０で設定情報を成功的に受信したことを確認応答する(ａｃｋｎｏｗｌｅｄｇｉｎｇ)メッセージ、ＲＲＣＣｏｎｎｅｃｔｉｏｎＲｅｃｏｎｆｉｇｕｒａｔｉｏｎＣｏｍｐｌｅｔｅをｅＮＢ１４３０へ送信する。
【０１３５】
ＵＥ１４１０がもうｅＮＢ１４３０の暗号化鍵ＫｅＮＢ又はＫｅＮＢから導出されたＫＵＰｅｎｃ、ＫＲＲＣｅｎｃ、及びＫＲＲＣｉｎｔを記憶したので、ＵＥ１４１０は動作１４５１でｅＮＢ１４３０と同様の方式でＰＭＫを生成する。したがって、ＵＥ１４１０及びＷＬＡＮ ＡＰ１４２０は動作１４５３及び１４５５で同一のＰＭＫを有する。
【０１３６】
その後、ＵＥ１４１０は次の手続きを行う。
【０１３７】
段階１(１４６０):ＵＥ１４１０はビーコン(Ｂｅａｃｏｎ)フレーム又はプロ−ブ応答(Ｐｒｏｂｅ Ｒｅｓｐｏｎｓｅ)フレームの探知に基づいてＷＬＡＮ保安政策を検索する。すなわち、ＵＥ１４１０は動作１４６１でＷＬＡＮ ＡＰ１４２０からＷＬＡＮ保安パラメーターを含むビーコンフレームを受信することができる。ＵＥ１４１０は動作１４６３でプロ−ブリクエストメッセージをＷＬＡＮ ＡＰ１４２０へ送信することができる。ＵＥ１４１０は動作１４６５でＷＬＡＮ ＡＰ１４２０からＬＡＮ保安パラメーターを含むプロ−ブ応答メッセージを受信することができる。
【０１３８】
段階２(１４７０):段階１(１４６０)の検索後に、ＵＥ１４１０は開放(ｏｐｅｎ)システム認証を行う。すなわち、ＵＥ１４１０は動作１４７３で開放システム認証リクエストメッセージをＷＬＡＮ ＡＰ１４２０に送信し、動作１４７５でＷＬＡＮ ＡＰ１４２０から開放システム認証応答メッセージを受信する。
【０１３９】
段階３(１４８０):ＵＥ１４１０は結合手続き(ａｓｓｏｃｉａｔｉｏｎ ｐｒｏｃｅｄｕｒｅ)を開始し、動作１４８３で結合リクエストフレームを通じてＵＥ１４１０によって選択された保安政策(パラメーター)を送信する。ＵＥ１４１０は動作１４８５でＷＬＡＮ ＡＰ１４２０から結合応答メッセージを受信する。
【０１４０】
段階４(１４９０):ＵＥ１４１０及びＷＬＡＮ ＡＰ１４２０は上述した手続きから、例えばＫｅＮＢから導出される共有された鍵ＰＭＫを用いることによってハンドシェーク(ｈａｎｄｓｈａｋｅ)手続きを行う。すなわち、ＵＥ１４１０は動作１４９１でＷＬＡＮ ＡＰ１４２０からＥＡＰＯＬ-Ｋｅｙ(ＡＮｏｎｃｅ、ｉｎｄｉｖｉｄｕａｌ)を受信する。ＵＥ１４１０は動作１４９３からＥＡＰＯＬ-Ｋｅｙ(Ｓｎｏｎｃｅ、ｉｎｄｉｖｉｄｕａｌ、ＭＩＣ)をＷＬＡＮ ＡＰ１４２０へ送信する。動作１４９５でＵＥ１４１０はＷＬＡＮ ＡＰ１４２０からＥＡＰＯＬ-Ｋｅｙ(ｉｎｓｔａｌｌ ＰＴＫ、ｉｎｄｉｖｉｄｕａｌ、ＭＩＣ、ｅｎｃｒｙｐｔｅｄ)を受信する。ＵＥ１４１０は、動作１４９７でＥＡＰＯＬ-Ｋｅｙ(ｉｎｄｉｖｉｄｕａｌ、ＭＩＣ)をＷＬＡＮ ＡＰ１４２０へ送信する。
【０１４１】
ＵＥ１４１０が手続きに基づいて認証に成功する時、ＵＥ１４１０は動作１４１０でＷＬＡＮ１４２０とデータを交換することができる。この場合に、トラフィックはＫＥＫ(ｋｅｙ ｅｎｃｒｙｐｔｉｏｎ ｋｅｙ)を用いて暗号化されて送信され、ＰＭＫから生成されたＰＴＫ(ｐａｉｒｗｉｓｅ ｔｒａｎｓｉｅｎｔ ｋｅｙ)から生成される。
【０１４２】
図１５は、ＵＥがＬＴＥ ｅＮＢ支援型ＷＬＡＮ認証方式及びＬＴＥ-ＷＬＡＮ統合技術を利用してＬＴＥ ｅＮＢハンドオーバーを行う時、ＵＥとｅＮＢ間のメッセージ流れを説明するフローチャートである。図１６は、本発明の実施形態による暗号化されたパケットの一例を示すダイヤグラムである。図１７は、本発明の実施形態による暗号化されたパケットの他の例を示すダイヤグラムである。
【０１４３】
図１５を参照すれば、ＵＥ１４１０はもう付加的に ｅＮＢ１４３０によってＷＬＡＮを設定し、動作１５１０でＷＬＡＮ設定を用いたことで推定される。このような動作１５１０は図１４に示された方法の動作１４９９と同じである。
【０１４４】
この場合に、ＵＥ１４１０はｅＮＢ１４３０からメッセージ(例えば、ＲＲＣＣｏｎｎｅｃｔｉｏｎＲｅｃｏｎｆｉｇｕｒａｔｉｏｎ ｗｉｔｈ ｍｏｂｉｌｉｔｙＣｏｎｔｒｏｌＩｎｆｏ)を受信し、動作１５１３で他のｅＮＢ１４５３に移動性を指示する。一つのｅＮＢで他のｅＮＢへの移動性はハンドオーバーと呼ばれる。この場合に、レガシーｅＮＢ１４３０はソースｅＮＢと呼ばれ、ハンドオーバーされる新しいｅＮＢ１４３５はターゲットｅＮＢと呼ばれる。ハンドオーバーを行うため、ＵＥ１４１０及びターゲットｅＮＢ１４３５はそれぞれ動作１５１５及び１５１７)でハンドオーバー後に用いる暗号化鍵、すなわち、ＫｅＮＢ*を生成する。図示せずが、ソースｅＮＢ１４３０はハンドオーバー後に用いる暗号化鍵、すなわち、ＫｅＮＢ*を生成し、生成された暗号化鍵ＫｅＮＢ*をターゲットｅＮＢ１４３５へ送信することができる。その後、ＵＥ１４１０は動作１５１９でハンドオーバーに成功したことを通知するメッセージ(例えば、ＲＲＣＣｏｎｎｅｃｔｉｏｎＲｅｃｏｎｆｉｇｕｒａｔｉｏｎＣｏｍｐｌｅｔｅ)をターゲットｅＮＢ１４３５へ送信する。
【０１４５】
ターゲットｅＮＢ１４３５は、動作１５２０で設定されたＷＬＡＮ ＡＰ１４２０で用いられるＰＭＫを生成する。ターゲットｅＮＢ１４３５は動作１５２３で生成されたＰＭＫをＷＬＡＮ ＡＰ１４２０へ送信する。
【０１４６】
しかし、ハンドオーバーの成功にもかかわらず、ＵＥ１４１０は、動作１５２５のように用い、動作１５１０と同一の鍵(ＰＭＫ)に基づいて相変らず通信を行う。すなわち、ＵＥ１４１０は動作１５１０で付加的に設定されたＷＬＡＮ ＡＰ１４２０との接続を解除せずｅＮＢのハンドオーバーの前に用いた鍵(ＰＭＫ)に基づいてＷＬＡＮ ＡＰ１４２０を伝達する。
【０１４７】
したがって、図１６に示されたように、ｅＮＢ１４３５がＷＬＡＮ ＡＰ１４２０へ送信するＬＴＥパケット(例えば、ＰＤＣＰ階層のパケット)は新しいｅＮＢ１４３５の暗号化鍵ＫｅＮＢ*から生成されたＫＵＰｅｎｃを用いて暗号化される。ＷＬＡＮ ＡＰ１４２０は重要なｅＮＢ１４３０の暗号化鍵ＫｅＮＢから生成されたＫＥＫを利用することによってパケットを暗号化する。
【０１４８】
その後、ＵＥ１４１０はＵＥ１４１０の移動性などのような多様な原因によって以前のＷＬＡＮ ＡＰ１４２０と同一又は相異するＷＬＡＮ ＡＰに接続することができる。すなわち、ＵＥ１４１０はレガシーＷＬＡＮ ＡＰ１４２０との接続を解除した後、同一のＷＬＡＮ ＡＰ１４２０又は新しいＷＬＡＮ ＡＰに接続する。
【０１４９】
この場合に、ＵＥ１４１０は次の手続きを行う。
【０１５０】
段階１(１５３０):ＵＥ１４１０はビーコンフレーム又はプロ−ブ応答フレームの探知に基づいてＷＬＡＮ保安政策を検索する。すなわち、ＵＥ１４１０は動作１５３１でＷＬＡＮ ＡＰ１４２０からＷＬＡＮ保安パラメーターを含むビーコンフレームを受信することができる。ＵＥ１４１０は動作１５３３でプロ−ブリクエストメッセージをＷＬＡＮ ＡＰ１４２０へ送信することができる。ＵＥ１４１０は動作１５３５でＷＬＡＮ ＡＰ１４２０でＬＡＮ保安パラメーターを含むプロ−ブ応答メッセージを受信することができる。
【０１５１】
段階２(１５４０):段階１(１５３０)の検索後に、ＵＥ１４１０は開放システム認証を行う。
【０１５２】
すなわち、ＵＥ１４１０は動作１５４３で開放システム認証リクエストメッセージをＷＬＡＮ ＡＰ１４２０に送信し、動作１５４５でＷＬＡＮ ＡＰ１４２０から開放システム認証応答メッセージを受信する。
【０１５３】
段階３(１５５０):ＵＥ１４１０は結合手続きを開始し、動作１５５３で結合リクエストフレームを通じてＵＥ１４１０によって選択された保安政策(パラメーター)を送信する。ＵＥ１４１０は動作１５５５でＷＬＡＮ ＡＰ１４２０から結合応答メッセージを受信する。
【０１５４】
ＵＥ１４１０は認証が実際に行われる段階４(１５７０)前に動作１５６０でハンドオーバーを行う時、生成されたＫｅＮＢ*に基づいてＰＭＫを生成する。ＷＬＡＮ ＡＰ１４２０は動作１５２３で受信されたＰＭＫを用いる。したがって、ＵＥ１４１０及びｅＮＢ１４３５はＰＭＫに基づいて認証を行う。ＵＥ１４１０及びＷＬＡＮ ＡＰ１４２０は動作(１５６３及び１５６５)のように同一の新しいＰＭＫを持つ。
【０１５５】
段階４(１５７０):ＵＥ１４１０及びＷＬＡＮ ＡＰ１４２０は共有された鍵ＰＭＫを用いることによってハンドシェーク手続きを行う。すなわち、ＵＥ１４１０は動作１５７１でＷＬＡＮ ＡＰ１４２０からＥＡＰＯＬ-Ｋｅｙ(ＡＮｏｎｃｅ、ｉｎｄｉｖｉｄｕａｌ)を受信する。ＵＥ１４１０は動作１５７３でＥＡＰＯＬ-Ｋｅｙ(Ｓｎｏｎｃｅ、ｉｎｄｉｖｉｄｕａｌ、ＭＩＣ)をＷＬＡＮ ＡＰ１４２０へ送信する。
【０１５６】
ＵＥ１４１０は動作１５７５でＷＬＡＮ ＡＰ１４２０でＥＡＰＯＬ-Ｋｅｙ(ｉｎｓｔａｌｌ ＰＴＫ、ｉｎｄｉｖｉｄｕａｌ、ＭＩＣ、ｅｎｃｒｙｐｔｅｄ)を受信する。ＵＥ１４１０は動作１５７７でＥＡＰＯＬ-Ｋｅｙ(ｉｎｄｉｖｉｄｕａｌ、ＭＩＣ)をＷＬＡＮ ＡＰ１４２０へ送信する。ＵＥ１４１０が手続きに基づいて認証に成功する時、ＵＥ１４１０は動作１５８０でＷＬＡＮ１４２０とデータを交換することができる。この場合に、トラフィックはＫＥＫ(ｋｅｙ ｅｎｃｒｙｐｔｉｏｎ ｋｅｙ)を用いて暗号化されて送信され、ＰＭＫから生成されたＰＴＫ(ｐａｉｒｗｉｓｅ ｔｒａｎｓｉｅｎｔ ｋｅｙ)から生成される。すなわち、ＵＥ１４１０がＬＴＥ ｅＮＢハンドオーバーを行った後、ＷＬＡＮ ＡＰ１４２０に対する接続又は再接続を行った時、ｅＮＢ１４３５がＷＬＡＮ ＡＰ１４２０へ送信するＬＴＥパケット(例えば、ＰＤＣＰ階層のパケット)は図１７に示されたように新しいｅＮＢ１４３５の暗号化鍵ＫｅＮＢ*から生成されたＫＵＰｅｎｃを用いて暗号化される。ＷＬＡＮ ＡＰ１４２０は新しいｅＮＢ１４３５の暗号化鍵ＫｅＮＢ*から生成されたＫＥＫを利用することによってパケットを暗号化する。したがって、本発明の実施形態によれば、ＬＴＥ ｅＮＢハンドオーバーが行われる時、ＬＴＥ ｅＮＢ暗号化鍵が変更されてもＵＥはＷＬＡＮ ＡＰの暗号化鍵を用いる。
【０１５７】
ＵＥが相違するＷＬＡＮ ＡＰ又は同一のＷＬＡＮ ＡＰに接続したり再接続する時、ＵＥは ＵＥがハンドオーバーされるＬＴＥ ｅＮＢの暗号化鍵に基づいて認証を行う。
【０１５８】
図１８は、本発明の実施形態によるＵＥの設定を示すブロック図面である。
【０１５９】
図１８を参照すれば、ＵＥは送受信機及びＵＥの動作を制御する制御機１８４０を含む。ＵＥは、さらにＲＦ(ｒａｄｉｏ ｆｒｅｑｕｅｎｃｙ)処理部１８１０、基底帯域処理部１８２０、及び記憶部１８３０を含む。送受信機はＲＦ処理部１８１０を含む方式で具現されることができる。
【０１６０】
ＲＦ処理部１８１０は、無線チャンネルを通じて信号の送受信に係る機能、例えば、周波数帯域の変換、増幅などを行う。ＲＦ処理部１８１０は基底帯域処理部１８２０から出力された基底帯域信号をＲＦ帯域信号で上向き変換し、アンテナを通じてＲＦ信号を送信する。ＲＦ処理部１８１０はアンテナを通じて受信されたＲＦ帯域信号を基底帯域信号で下向き変換する。ＲＦ処理部１８１０は送信フィルター、受信フィルター、増幅器、ミキサー、オシレーター、デジタル-アナログ変換器(ｄｉｇｉｔａｌ ｔｏ ａｎａｌｏｇ ｃｏｎｖｅｒｔｏｒ；ＤＡＣ)、アナログ-デジタル変換器(ａｎａｌｏｇ ｔｏ ｄｉｇｉｔａｌ ｃｏｎｖｅｒｔｏｒ；ＡＤＣ)などを含むことができる。ＵＥが一つのアンテナのみを含むように実施形態が図１８に示されるが、ＵＥは多数のアンテナを含むように具現されることができるということが理解されなければならない。ＲＦ処理部１８１０はさらに多数のＲＦチェーンを含むように具現されることができる。ＲＦ処理部１８１０はビーム形成動作を行うことができる。ビーム形成機能を行うため、ＲＦ処理部１８１０は多数のアンテナ又はアンテナ要素を通じて送受信される個別信号の位相及び振幅を調整することができる。ＲＦ処理部１８１０はＭＩＭＯを行うことができる。ＲＦ処理部１８１０はＭＩＭＯで多数の階層を受信することができる。
【０１６１】
基底帯域処理部１８２０は、システムの物理的階層仕様(ｌａｙｅｒ ｓｐｅｃｉｆｉｃａｔｉｏｎ)によって基底帯域信号とビットストリーム間の変換を行う。例えば、データを送信する時、基底帯域処理部１８２０は送信ビットストリームをエンコードして変調することによって、複素シンボルを生成する。データを受信する時、基底帯域処理部１８２０はＲＦ処理部１８１０から出力される基底帯域信号を復調してデコーディングすることによって、受信ビットストリームを復元する。例えば、ＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)によるデータ送信で、基底帯域処理部１８２０は複素シンボルを生成するために送信ビットストリームをエンコードして変調し、複素シンボルをサブキャリアにマッピングし、ＩＦＦＴ(ｉｎｖｅｒｓｅ ｆａｓｔ Ｆｏｕｒｉｅｒ ｔｒａｎｓｆｏｒｍ)動作及びＣＰ(ｃｙｃｌｉｃ ｐｒｅｆｉｘ)挿入を通じてＯＦＤＭシンボルを設定する。データ受信で、基底帯域処理部１８２０はＲＦ処理部１８１０から出力された基底帯域信号をＯＦＤＭシンボル単位で分離し、ＦＦＴ(ｆａｓｔ Ｆｏｕｒｉｅｒ ｔｒａｎｓｆｏｒｍ)動作を通じてサブキャリアにマッピングされた信号を復元した後、復調及びデコーディング動作を通じて受信ビットストリームを復元する。
【０１６２】
基底帯域処理部１８２０及びＲＦ処理部１８１０は、上述したように信号の送受信を行う。したがって、基底帯域処理部１８２０及びＲＦ処理部１８１０はさらに送信機、受信機、送受信機、通信部などと呼ばれることができる。さらに、基底帯域処理部１８２０及び／又はＲＦ処理部１８１０は互いに相違する無線アクセス技術をサポートする多数の通信モジュールを含むことができる。代案で、基底帯域処理部１８２０及び／又はＲＦ処理部１８１０は相違する周波数帯域の信号を処理する相違する通信モジュールを含むことができる。無線アクセス技術の例は無線ＬＡＮ(例えば、ＩＥＥＥ８０２.１１)、セルラネットワーク(例えば、ＬＴＥ)などである。相違する周波数帯域の例は超高周波(ＳＨＦ)(例えば、２.５ＧＨｚ帯域、５ＧＨｚ帯域など)、ミリメートル波(ｍｍＷ)(例えば、６０ＧＨｚ帯域)などである。
【０１６３】
記憶部１８３０は、ＵＥ、アプリケーション、セッティング、データなどを動作させるための基本(ｄｅｆａｕｌｔ)プログラムを記憶する。特に、記憶部１８３０は第２無線アクセス技術を利用して無線通信を行う第２アクセスノードに係る情報を記憶することができる。記憶部１８３０は制御機１８４０のリクエストに従って記憶されたデータを提供する。
【０１６４】
制御機１８４０は、ＵＥのすべての動作を制御する。例えば、制御機１８４０は基底帯域処理部１８２０及びＲＦ処理部１８１０を制御して信号の送受信を行う。制御機１８４０は記憶部１８３０を制御してデータを記憶部１８３０内に記憶して記憶部１８３０から判読する。このために、制御機１８４０は少なくとも一つのプロセッサを含むことができる。例えば、制御機１８４０は通信を制御するための通信プロセッサ(ｃｏｍｍｕｎｉｃａｔｉｏｎ ｐｒｏｃｅｓｓｏｒ；ＣＰ)及びアプリケーションのような上位階層を制御するためのアプリケーションプロセッサ(ａｐｐｌｉｃａｔｉｏｎ ｐｒｏｃｅｓｓｏｒ；ＡＰ)を含むことができる。
【０１６５】
制御機１８４０は、本発明の実施形態で上述した動作及び手続きを行うようにＵＥを制御する。本発明の実施形態によれば、制御機１８４０は二重接続性モードの機能を処理するための二重接続性処理部１８４５を含む。
【０１６６】
図１９は、本発明の実施形態によるＥＮＢを示すブロック図面である。
【０１６７】
図１９を参照すれば、ＥＮＢは送受信機及びｅＮＢの動作を制御するための制御機１９５０を含む。ＥＮＢはさらにＲＦ処理部１９１０、基底帯域処理部１９２０、バックホールを通信部１９３０及び記憶部１９４０を含む。送受信機はＲＦ処理部１９１０を含む方式で具現されることができる。
【０１６８】
ＲＦ処理部１９１０は、無線チャンネルを通じて信号の送受信に係る機能、例えば周波数帯域の変換、増幅などを行う。ＲＦ処理部１９１０は基底帯域処理部１９２０から出力された基底帯域信号をＲＦ帯域信号で上向き変換し、アンテナを通じてＲＦ信号を送信する。ＲＦ処理部１９１０はアンテナを通じて受信されたＲＦ帯域信号を基底帯域信号で下向き変換する。ＲＦ処理部１９１０は送信フィルター、受信フィルター、増幅器、ミキサー、オシレーター、ＤＡＣ、ＡＤＣなどを含むことができる。実施形態は一つのアンテナのみを含むように図１９に示されるが、本発明による第１アクセスノードは多数のアンテナを含むように具現されることができるということが理解されなければならない。ＲＦ処理部１９１０はさらに多数のＲＦチェーンを含むように具現されることができる。ＲＦ処理部１９１０はビーム形成動作を行うことができる。ビーム形成機能を行うため、ＲＦ処理部１９１０は多数のアンテナ又はアンテナ要素を通じて送受信される個別信号の位相及び振幅を調整することができる。ＲＦ処理部１９１０は一つ以上の階層を送信することができることによって、ダウンリンクＭＩＭＯ機能を行うことができる。
【０１６９】
基底帯域処理部１９２０は、第１無線アクセス技術の物理的階層仕様によって基底帯域信号とビットストリーム間の変換を行う。例えば、データ送信で、基底帯域処理部１９２０は送信ビットストリームをエンコードして変調することによって、複素シンボルを生成する。データ受信で、基底帯域処理部１９２０はＲＦ処理部１９１０から出力される基底帯域信号を復調してデコーディングすることによって、受信ビットストリームを復元する。例えば、ＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)によるデータ送信で、基底帯域処理部１９２０は複素シンボルを生成するために送信ビットストリームをエンコードして変調し、複素シンボルをサブキャリアにマッピングし、ＩＦＦＴ(ｉｎｖｅｒｓｅ ｆａｓｔ Ｆｏｕｒｉｅｒ ｔｒａｎｓｆｏｒｍ)動作及びＣＰ(ｃｙｃｌｉｃ ｐｒｅｆｉｘ)挿入を通じてＯＦＤＭシンボルを設定する。データ受信において、基底帯域処理部１９２０はＲＦ処理部１９１０から出力された基底帯域信号をＯＦＤＭシンボル単位で分離し、ＦＦＴ(ｆａｓｔ Ｆｏｕｒｉｅｒ ｔｒａｎｓｆｏｒｍ)動作を通じてサブキャリアにマッピングされた信号を復元した後、復調及びデコーディング動作を通じて受信ビットストリームを復元する。基底帯域処理部１９２０及びＲＦ処理部１９１０は上述したところのように信号の送受信を行う。したがって、基底帯域処理部１９２０及びＲＦ処理部１９１０はさらに送信機、受信機、送受信機、通信部、無線通信部などと呼ばれることができる。
【０１７０】
バックホールを通信部１９３０は、ネットワーク内の他のノードと通信するインターフェースを提供する。すなわち、バックホールを通信部１９３０はビットストリームをＥＮＢの他のノード、例えば、補助ＥＮＢ、コアネットワークなどに送信される物理的信号で変換し；他のノードから受信された物理的信号をビットストリームで変換する。
【０１７１】
記憶部１９４０はＥＮＢ、アプリケーション、セッティング、データなどを動作させるための基本プログラムを記憶する。特に、記憶部１９４０は接続されたＵＥに割り当られたベアラー、接続されたＵＥから報告された測定結果などに関する情報を記憶することができる。記憶部１９４０は二重接続性機能をＵＥに提供したり二重接続性動作を終了するかを判断するための情報を記憶することができる。記憶部１９４０は制御機１９５０のリクエストに従って記憶されたデータを提供する。
【０１７２】
制御機１９５０は、ＥＮＢのすべての動作を制御する。このために、制御機１９５０は少なくとも一つのプロセッサを含む。例えば、制御機１９５０は基底帯域処理部１９２０、ＲＦ処理部１９１０及びバックホールを通信部１９３０を制御して信号の送受信を行う。制御機１９５０は記憶部１９４０を制御してデータを記憶部１９４０内に記憶して記憶部１９４０から判読する。このために、制御機１９５０は少なくとも一つのプロセッサを含むことができる。制御機１９５０は二重接続性機能をＵＥに提供する二重接続性制御機１９５５を含むことができる。
【０１７３】
例えば、制御機１９５０は上述した実施形態に係る機能及び手続きを行うようにＥＮＢを制御することができる。
【０１７４】
図２０は、本発明の実施形態によるＵＥを示すブロック図面である。
【０１７５】
図２０を参照すれば、ＵＥは上位階層デバイス２０１０からデータなどの送受信を行う。ＵＥは制御メッセージプロセッサ２０１５を通じて制御メッセージの送受信を行う。ＵＥが制御信号又はデータをＥＮＢへ送信する時、制御機２０２０はデータを多重化するマルチプレクサ２００５、及び処理されたデータをＥＮＢへ送信する送信機２０００を制御する。ＵＥがＥＮＢから信号又はデータを受信する時、制御機２０２０は物理的信号を受信する受信機２０００、及び個別メッセージに含まれた情報によって受信された信号を逆多重化して処理された信号を上位階層２０１０又は制御メッセージプロセッサ２０１５へ伝達するデマルチプレクサ２００５を制御する。
【０１７６】
図２１は、本発明の実施形態によるｅＮＢを示すブロック図面である。
【０１７７】
図２１を参照すれば、ｅＮＢは送受信機２１０５、制御機２１１０、マルチプレクサ及びデマルチプレクサ２１２０、制御メッセージプロセッサ２１３５、上位階層デバイス(２１２５及び２１３０)及びスケジューラ２１１５を含む。
【０１７８】
送受信機２１０５は、順方向キャリアを通じてデータ及び制御信号を送信し、逆キャリアを通じてデータ及び制御信号を受信する。多数のキャリアがセッティングされると、送受信機２１０５はキャリアを通じてデータ及び制御信号を送受信する。マルチプレクサ及びデマルチプレクサ２１２０は、制御メッセージプロセッサ２１３５又は上位階層デバイス(２１２５及び２１３０)からのデータを多重化したり、又は送受信機２１０５からのデータを逆多重化し、処理されたデータを制御メッセージプロセッサ２１３５、上位階層デバイス(２１２５及び２１３０)又は制御機２１１０で伝達する。
【０１７９】
制御機２１１０は、特定ＵＥに帯域特定測定ギャップを適用するか、及びさらにメッセージ、ＲＲＣＣｏｎｎｅｃｔｉｏｎＲｅｃｏｎｆｉｇｕｒａｔｉｏｎに設定情報を含むかを判断する。制御メッセージプロセッサ２１３５は制御機２１１０の制御によってＵＥに送信されるメッセージ、ＲＲＣＣｏｎｎｅｃｔｉｏｎＲｅｃｎｏｆｉｇｕｒａｉｔｏｎを生成してメッセージを下位階層へ伝達する。上位階層デバイス(２１２５及び２１３０)は、ＵＥのタイプによるサービスのタイプによって設定されることができる。上位階層デバイス(２１２５及び２１３０)はＦＴＰ(Ｆｉｌｅ Ｔｒａｎｓｆｅｒ Ｐｒｏｔｏｃｏｌ)又はＶｏＩＰ(Vｏｉｃｅ ｏｖｅｒ Ｉｎｔｅｒｎｅｔ Ｐｒｏｔｏｃｏｌ)サービスのようなユーザサービスから生成されたデータを処理し、処理されたデータをマルチプレクサ及びデマルチプレクサ２１２０で伝達する。上位階層デバイス(２１２５及び２１３０)は、マルチプレクサ及びデマルチプレクサ２１２０からのデータを処理し、処理されたデータを上位階層のサービスアプリケーションへ伝達する。スケジューラ２１１５は、ＵＥのバッファー状態、チャンネル状態、活性時間などを考慮して適切なタイミングで送信リソースをＵＥに割り当てる。スケジューラ２１１５は、送受信機２１０５を制御してＵＥから送信された信号；又はＵＥへ送信される信号を処理する。
【０１８０】
上述したように、本発明の実施形態によれば、方法はＵＥがリソースが割り当てられるが送信されるデータを有するので送信を行わない方式でＵＥが動作するようにすることによって事前割り当てを効率的に用いる。
【０１８１】
本発明の実施形態によれば、方法はＭＤＴ測定間のＩＤＣ干渉によって汚染したＭＤＴ測定情報を処理する。
【０１８２】
本発明の実施形態によれば、無線通信システムがＬＷＡ(ＬＴＥ-ＷＬＡＮ ａｇｇｒｅｇａｔｉｏｎ)技術を用いる時、ＵＥがＬＴＥ ｅＮＢ間にハンドオーバーを行うが、ＷＬＡＮに対する認証／再認証／接続／再接続手続きは省略されることができ、これは遅延を減らすことができる。ＵＥが相違するＷＬＡＮ ＡＰ又は同一のＷＬＡＮ ＡＰに対する接続又は再接続を行う時、ＵＥがハンドオーバーされるＬＴＥ ｅＮＢの暗号化鍵に基づいてＵＥが認証を行うことによって通信の信頼性を増加させる。
【０１８３】
本発明の特徴及び利点は上述した説明に限定されず、上述しない他の特徴及び利点は上述した説明からより明らかになるだろう。
【０１８４】
請求範囲又は説明で記載した実施形態による方法はハードウェア、ソフトウェア及びこの組み合せで具現されることができる。
【０１８５】
方法がソフトウェアに具現される時、１つ以上のプログラム(ソフトウェアモジュール)が記憶されるコンピューター可読記憶媒体が提供される。コンピューター可読記憶媒体に記憶された一つ以上のプログラムは電子デバイス内の１つ以上のプロセッサによる実行のために設定される。一つ以上のプログラムは請求範囲又は発明の説明で説明された実施形態による方法を電子デバイスが行うようにするコマンドを含む。
【０１８６】
このようなプログラム(ソフトウェアモジュール及びソフトウェア)はＲＡＭ(ｒａｎｄｏｍ ａｃｃｅｓｓ ｍｅｍｏｒｙ)、フラッシュメモリ、非揮発性メモリ、ＲＯＭ(ｒｅａｄ ｏｎｌｙ ｍｅｍｏｒｙ)、ＥＥＰＲＯＭ(ｅｌｅｃｔｒｉｃａｌｌｙ ｅｒａｓａｂｌｅ ｐｒｏｇｒａｍｍａｂｌｅ ｒｅａｄ ｏｎｌｙ ｍｅｍｏｒｙ)、磁気ディスク記憶デバイス、ＣＤ-ＲＯＭ(ｃｏｍｐａｃｔ ｄｉｓｃ-ＲＯＭ)、ＤＶＤ(ｄｉｇｉｔａｌ ｖｅｒｓａｔｉｌｅ ｄｉｓｃ)又は他のタイプの光学記憶デバイス、磁気カセットなど、又はこの組み合せに記憶される。さらに、同一のタイプのメモリのうちで２つ以上はメモリブロックを形成する。
【０１８７】
さらに、プログラムはさらにインターネット、イントラネット、ＬＡＮ(ｌｏｃａｌ ａｒｅａ ｎｅｔｗｏｒｋ)、ＷＡＮ(ｗｉｄｅ ｌｏｃａｌ ａｒｅａ ｎｅｔｗｏｒｋ)、ＳＡＮ(ｓｔｏｒａｇｅ ａｒｅａ ｎｅｔｗｏｒｋ)又はこの組み合せのような通信ネットワークを通じてアクセス可能な付着可能記憶デバイスに記憶されることができる。このような記憶デバイスは外部ポートを通じて本発明による装置に接続されることができる。さらに、通信ネットワークの別個の記憶デバイスは、本発明による装置に接続されることができる。
【０１８８】
本発明の実施形態において、構成要素又は要素は単数又は複数形態で表現される。本開示で用いられた用語は特定実施形態のみを説明するために用いられ、本開示を制限するように意図されないということが理解されなければならない。また、単数形態は文脈に特に明示されない限り、複数形態を含むことができるということが理解すべきである。
【０１８９】
本発明の説明及び図面で説明された実施形態は本発明の包括的な理解を助けるために提供され、制限を暗示することではない。本発明の実施形態が上述した詳細に説明されたが、当業者に明白であることができる本明細書で説明された基本的な発明の概念の多くの変形及び修正は添付された請求範囲に定義されたように本発明の実施形態の思想及び範囲内にあるというのが理解すべきである。
【０１９０】
本発明の実施形態は、特定用語又は単語を用いて発明の説明及び図面で説明されるが、用語又は単語は、ただ本発明の包括的な理解を助けるために提供されるもので、制限を暗示することではない。したがって、当業者は実施形態からの多様な修正、変更及び等価物があり得るということを理解するだろう。
【符号の説明】
【０１９１】
１３５  ユーザ装置
５１０  ドライブテスト
５２０  ネットワークモニタリングシステム
８００  通信モジュール
８０５  通信モジュール
８１０  通信モジュール
８１５  アンテナ
８２０  アンテナ
８２５  アンテナ
１８１０  処理部
１８２０  基底帯域処理部
１８３０  記憶部
１８４０  制御機
１８４５  二重接続性処理部
１９１０  処理部
１９２０  基底帯域処理部
１９３０  通信部
１９４０  記憶部
１９５０  制御機
１９５５  二重接続性制御機
２０００  送受信機
２０１０  上位階層デバイス
２０１５  制御メッセージプロセッサ
２０２０  制御機
２１０５  送受信機
２１１０  制御機
２１１５  スケジューラ
２１２０  マルチプレクサ及びデマルチプレクサ
２１２５  上位階層デバイス
２１３０  上位階層デバイス
２１３５  制御メッセージプロセッサ
【図１】
2018530242.tif 000011
【図２】
2018530242.tif 000012
【図３】
2018530242.tif 000013
【図４】
2018530242.tif 000014
【図５】
2018530242.tif 000015
【図６】
2018530242.tif 000016
【図７】
2018530242.tif 000017
【図８】
2018530242.tif 000018
【図９】
2018530242.tif 000019
【図１０】
2018530242.tif 000020
【図１１】
2018530242.tif 000021
【図１２】
2018530242.tif 000022
【図１３】
2018530242.tif 000023
【図１４】
2018530242.tif 000024
【図１５】
2018530242.tif 000025
【図１６】
2018530242.tif 000026
【図１７】
2018530242.tif 000027
【図１８】
2018530242.tif 000028
【図１９】
2018530242.tif 000029
【図２０】
2018530242.tif 000030
【図２１】
2018530242.tif 000031
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
端末の通信方法において、
半永続スケジューリング（ｓｅｍｉ−ｐｅｒｓｉｓｔｅｎｔ  ｓｃｈｅｄｕｌｉｎｇ）に関する第１情報及びアップリンクの送信のためのデータが有効でない場合、前記端末が、前記第１情報によって設定されたアップリンク承認によりアップリンクの送信を行わないことを指示する第２情報を含む第１メッセージを受信する段階と、
前記アップリンクの送信のためのアップリンクデータが有効であるか（ａｖａｉｌａｂｌｅ）否かを判断する段階と、
前記アップリンクの送信のための前記アップリンクデータが有効でない場合、前記設定されたアップリンク承認によるサーブフレームで、前記アップリンクの送信をスキップ（ｓｋｉｐ）すると判断する段階と、を含む方法。
【請求項２】
前記サブフレームで送信される非適応的（ｎｏｎ−ａｄａｐｔｉｖｅ）再送信データ及び前記アップリンクデータが有効であるか否かを判断する段階と、
前記サブフレームで送信される非適応的再送信データ及び前記アップリンクデータが有効である場合、前記サブフレームで前記非適応的再送信データを送信する段階と、をさらに含むことを特徴とする請求項１に記載の方法。
【請求項３】
パディングバッファー状態レポート（ｐａｄｄｉｎｇ  ｂｕｆｆｅｒ  ｓｔａｔｕｓ  ｒｅｐｏｒｔ）のためのＭＡＣ（ｍｅｄｉｕｍ  ａｃｃｅｓｓ  ｃｏｎｔｒｏｌ）ＣＥ（ｃｏｎｔｒｏｌ  ｅｌｅｍｅｎｔ）は、前記有効なアップリンクデータに含まれないことを特徴とする請求項１に記載の方法。
【請求項４】
前記第１メッセージは、ＲＲＣ（ｒａｄｉｏ  ｒｅｓｏｕｒｃｅ  ｃｏｎｔｒｏｌ）の再設定（ｒｅｃｏｎｆｉｇｕｒａｔｉｏｎ）メッセージを含むことを特徴とする請求項１に記載の方法。
【請求項５】
基地局の通信方法において、
半永続スケジューリング（ｓｅｍｉ−ｐｅｒｓｉｓｔｅｎｔ  ｓｃｈｅｄｕｌｉｎｇ）に関する第１情報及びアップリンクの送信のためのデータが有効でない場合、端末が、前記第１情報によって設定されたアップリンク承認によりアップリンクの送信を行わないことを指示する第２情報を含む第１メッセージを前記端末に送信する段階と、
前記アップリンクの送信のためのアップリンクデータが前記端末において有効でない場合、前記設定されたアップリンク承認によるサーブフレームで、前記アップリンクの送信を受信しないと判断する段階と、を含む方法。
【請求項６】
前記サブフレームで送信される非適応的（ｎｏｎ−ａｄａｐｔｉｖｅ）再送信データ及び前記アップリンクデータが有効である場合、前記サブフレームで前記非適応的再送信データを受信する段階をさらに含むことを特徴とする請求項５に記載の方法。
【請求項７】
パディングバッファー状態レポート（ｐａｄｄｉｎｇ  ｂｕｆｆｅｒ  ｓｔａｔｕｓ  ｒｅｐｏｒｔ）のためのＭＡＣ（ｍｅｄｉｕｍ  ａｃｃｅｓｓ  ｃｏｎｔｒｏｌ）ＣＥ（ｃｏｎｔｒｏｌ  ｅｌｅｍｅｎｔ）は、前記有効なアップリンクデータに含まれないことを特徴とする請求項５に記載の方法。
【請求項８】
前記第１メッセージは、ＲＲＣ（ｒａｄｉｏ  ｒｅｓｏｕｒｃｅ  ｃｏｎｔｒｏｌ）の再設定（ｒｅｃｏｎｆｉｇｕｒａｔｉｏｎ）メッセージを含むことを特徴とする請求項５に記載の方法。
【請求項９】
端末において、
送受信部と、
前記送受信部と連結されており、半永続スケジューリング（ｓｅｍｉ−ｐｅｒｓｉｓｔｅｎｔ  ｓｃｈｅｄｕｌｉｎｇ）に関する第１情報及びアップリンクの送信のためのデータが有効でない場合、前記端末が、前記第１情報によって設定されたアップリンク承認によりアップリンクの送信を行わないことを指示する第２情報を含む第１メッセージを受信し、前記アップリンクの送信のためのアップリンクデータが有効であるか（ａｖａｉｌａｂｌｅ）否かを判断し、前記アップリンクの送信のための前記アップリンクデータが有効でない場合、前記設定されたアップリンク承認によるサーブフレームで、前記アップリンクの送信をスキップ（ｓｋｉｐ）すると判断する制御部と、を含む端末。
【請求項１０】
前記制御部は、
前記サブフレームで送信される非適応的（ｎｏｎ−ａｄａｐｔｉｖｅ）再送信データ及び前記アップリンクデータが有効であるか否かを判断し、前記サブフレームで送信される非適応的再送信データ及び前記アップリンクデータが有効である場合、前記サブフレームで前記非適応的再送信データを送信することを特徴とする請求項９に記載の端末。
【請求項１１】
パディングバッファー状態レポート（ｐａｄｄｉｎｇ  ｂｕｆｆｅｒ  ｓｔａｔｕｓ  ｒｅｐｏｒｔ）のためのＭＡＣ（ｍｅｄｉｕｍ  ａｃｃｅｓｓ  ｃｏｎｔｒｏｌ）ＣＥ（ｃｏｎｔｒｏｌ  ｅｌｅｍｅｎｔ）は、前記有効なアップリンクデータに含まれないことを特徴とする請求項９に記載の端末。
【請求項１２】
前記第１メッセージは、ＲＲＣ（ｒａｄｉｏ  ｒｅｓｏｕｒｃｅ  ｃｏｎｔｒｏｌ）の再設定（ｒｅｃｏｎｆｉｇｕｒａｔｉｏｎ）メッセージを含むことを特徴とする請求項９に記載の端末。
【請求項１３】
基地局において、
送受信部と、
前記送受信部と連結され、半永続スケジューリング（ｓｅｍｉ−ｐｅｒｓｉｓｔｅｎｔ  ｓｃｈｅｄｕｌｉｎｇ）に関する第１情報及びアップリンクの送信のためのデータが有効でない場合、端末が、前記第１情報によって設定されたアップリンク承認によりアップリンクの送信を行わないことを指示する第２情報を含む第１メッセージを前記端末に送信し、前記アップリンクの送信のためのアップリンクデータが前記端末において有効でない場合、前記設定されたアップリンク承認によるサーブフレームで、前記アップリンクの送信を受信しないと判断する制御部と、を含む基地局。
【請求項１４】
前記制御部は、
前記サブフレームで送信される非適応的（ｎｏｎ−ａｄａｐｔｉｖｅ）再送信データ及び前記アップリンクデータが有効である場合、前記サブフレームで前記非適応的再送信データを受信することを特徴とする請求項１３に記載の基地局。
【請求項１５】
パディングバッファー状態レポート（ｐａｄｄｉｎｇ  ｂｕｆｆｅｒ  ｓｔａｔｕｓ  ｒｅｐｏｒｔ）のためのＭＡＣ（ｍｅｄｉｕｍ  ａｃｃｅｓｓ  ｃｏｎｔｒｏｌ）ＣＥ（ｃｏｎｔｒｏｌ  ｅｌｅｍｅｎｔ）は、前記有効なアップリンクデータに含まれず、
前記第１メッセージは、ＲＲＣ（ｒａｄｉｏ  ｒｅｓｏｕｒｃｅ  ｃｏｎｔｒｏｌ）の再設定（ｒｅｃｏｎｆｉｇｕｒａｔｉｏｎ）メッセージを含むことを特徴とする請求項１３に記載の基地局。
【国際調査報告】
2018530242.tif 000032
2018530242.tif 000033